(57)【特許請求の範囲】
【請求項１】
物体側から像側へ順に、ズーミングに際して不動の正の屈折力の第１レンズ群と、ズーミングに際して、移動する負の屈折力の第２レンズ群と、該第２レンズ群の移動に連動して光軸上を移動し、変倍に伴う像面変動を補正する正の屈折力の第３レンズ群と、ズーミングに際して不動の結像作用をする正の屈折力の第４レンズ群からなるズームレンズであって、該第３レンズ群は正レンズと負レンズを有しており、該第３レンズ群を構成する負レンズの材料のアッベ数と部分分散比の平均値を各々νｎａ、θｎａ、該第３レンズ群を構成する正レンズの材料のアッベ数と部分分散比の平均値を各々νｐａ、θｐａ、該第３レンズ群を構成する各レンズの比重の平均値をＳＧａ３とするとき、
−１．４×１０−３＞（θｐａ−θｎａ）／（νｐａ−νｎａ）＞−２．０×１０−３
４１＜νｐａ−νｎａ＜５３
２．９＜ＳＧａ３＜３．２
なる条件を満足することを特徴とするズームレンズ。
【請求項２】
前記第３レンズ群は４枚の正レンズと１枚の負レンズより構成されることを特徴とする請求項１のズームレンズ。
【請求項３】
前記第３レンズ群に含まれるレンズのうち、材料のアッベ数がもっとも小さい負レンズの焦点距離、材料のアッベ数、部分分散比を順にｆ３ｎ、νｎ、θｎとし、材料のアッベ数がもっとも大きい正レンズの焦点距離、材料のアッベ数、部分分散比を順にｆ３ｐ、νｐ、θｐ、該第３レンズ群の焦点距離をｆ３とするとき、
−１．２×１０−３＜（θｐ−θｎ）／（νｐ−νｎ）＜−１．１×１０−３
０．８＜（１／ｆ３）／（１／ｆ３ｐ−１／ｆ３ｎ）＜１．１
なる条件を満足することを特徴とする請求項１又は２のズームレンズ。
【請求項４】
前記第３レンズ群に含まれる正レンズの屈折力の合計値をφｐ、該第３レンズ群に含まれる負レンズの屈折力の合計値をφｎ、該第３レンズ群の屈折力をφ３とするとき、
１．６＜φｐ／φ３＜１．７
−０．６＜φｎ／φ３＜−０．４
なる条件を満足することを特徴とする請求項１乃至３のいずれか１項のズームレンズ。
【請求項５】
前記第３レンズ群に含まれる正レンズのうち、少なくとも１枚の正レンズの材料のアッベ数、部分分散比、屈折率、比重を順に、ν３ｐ１、θ３ｐ１、Ｎ３ｐ１、ＳＧ３ｐ１とするとき
６０＜ν３ｐ１＜７５
０．５３＜θ３ｐ１＜０．５４
１．５５＜Ｎ３ｐ１＜１．６５
３．０＜ＳＧ３ｐ１＜３．２
なる条件を満足することを特徴とする請求項１乃至４のいずれか１項のズームレンズ。
【請求項６】
前記第３レンズ群に含まれる正レンズのうち、少なくとも１枚の正レンズの材料のアッベ数、部分分散比、屈折率、比重を順に、ν３ｐ２、θ３ｐ２、Ｎ３ｐ２、ＳＧ３ｐ２とするとき
６０＜ν３ｐ２＜７５
０．５２＜θ３ｐ２＜０．５４
１．４５＜Ｎ３ｐ２＜１．５５
２．４＜ＳＧ３ｐ２＜２．６
なる条件を満足することを特徴とする請求項１乃至５のいずれか１項のズームレンズ。
【請求項７】
前記第３レンズ群に含まれる１枚の負レンズの材料のアッベ数、部分分散比、屈折率、比重を順に、ν３ｎ１、θ３ｎ１、Ｎ３ｎ１、ＳＧ３ｎ１とするとき
２０＜ν３ｎ１＜２８
０．６＜θ３ｎ１＜０．６１５
１．７＜Ｎ３ｎ１＜２．０
３．０＜ＳＧ３ｎ１＜３．７
なる条件を満足することを特徴とする請求項１乃至６のいずれか１項のズームレンズ。
【請求項８】
前記第３レンズ群の焦点距離をｆ３、前記ズームレンズの望遠端における焦点距離をｆｔｅｌｅとするとき、
１４．５＜ｆｔｅｌｅ／ｆ３＜１７．０
なる条件を満足することを特徴とする請求項１乃至７のいずれか１項のズームレンズ。
【請求項９】
前記第１レンズ群の焦点距離をｆ１、前記第２レンズ群の焦点距離をｆ２とするとき、
２７＜ｆ１・ｆ３／ｆ２２＜２９
なる条件を満足することを特徴とする請求項１乃至８のいずれか１項のズームレンズ。
【請求項１０】
前記第１レンズ群の焦点距離をｆ１、前記第２レンズ群の焦点距離をｆ２とするとき、
９．５＜｜ｆ１／ｆ２｜＜１１
なる条件を満足することを特徴とする請求項１乃至９のいずれか１項のズームレンズ。
【請求項１１】
前記第１レンズ群の焦点距離をｆ１、前記ズームレンズの望遠端における焦点距離をｆｔｅｌｅとするとき、
３．９＜ｆｔｅｌｅ／ｆ１＜６
なる条件を満足することを特徴とする請求項１乃至１０のいずれか１項のズームレンズ。
【請求項１２】
前記第１レンズ群の焦点距離をｆ１、前記ズームレンズの広角端における焦点距離をｆｗｉｄｅとするとき、
２４＜ｆ１／ｆｗｉｄｅ＜３０
なる条件を満足することを特徴とする請求項１乃至１１のいずれか１項のズームレンズ。
【請求項１３】
前記第３レンズ群は物体側から像側へ順に、両凸形状の正レンズ、両凸形状の正レンズ、物体側の面が凸でメニスカス形状の負レンズ、物体側の面が凸形状の正レンズ、物体側の面が凸形状の正レンズで構成されることを特徴とする請求項１乃至１２のいずれか１項のズームレンズ。
【請求項１４】
前記第３レンズ群は物体側から像側へ順に、両凸形状の正レンズ、両凸形状の正レンズ、両凸形状の正レンズ、物体側の面が凹形状の負レンズ、物体側の面が凸形状の正レンズで構成されることを特徴とする請求項１乃至１２のいずれか１項のズームレンズ。
【請求項１５】
請求項１乃至１４のいずれか１項のズームレンズと、前記ズームレンズによって形成された像を受光する固体撮像素子を有することを特徴とする撮像装置。
【発明の詳細な説明】
【技術分野】
【０００１】
本発明はズームレンズ及びそれを有する撮像装置に関し、放送用テレビカメラ、ビデオカメラ、デジタルスチルカメラ、銀塩写真用カメラ等に好適なものである。
【背景技術】
【０００２】
近年、テレビカメラ、銀塩フィルム用カメラ、デジタルカメラ、ビデオカメラ等の撮像装置には、大口径比、高ズーム比でしかも高い光学性能を有したズームレンズが要望されている。大口径比、高ズーム比のズームレンズとして、最も物体側に正の屈折力のレンズ群を配置し、全体として４つのレンズ群より成るポジティブリード型の４群ズームレンズが知られている。この４群ズームレンズとして、物体側から像側へ順に合焦用の第１レンズ群、変倍用の負の屈折力の第２レンズ群、変倍に伴う像面変動を補正するための正の屈折力の第３レンズ群、結像用の正の屈折力の第４レンズ群が知られている。このタイプの４群ズームレンズにおいて、高ズーム比化を図った４群ズームレンズが知られている（特許文献１〜３）。特許文献１、２では、ズーム比９６程度の高ズーム比のズームレンズを開示している。特許文献３では、ズーム比５０程度の高ズーム比のズームレンズを開示している。
【先行技術文献】
【特許文献】
【０００３】
【特許文献１】特開２００４−２６４４５８号公報
【特許文献２】特開２００４−２６４４５９号公報
【特許文献３】特開２００８−４０３９５号公報
【発明の概要】
【発明が解決しようとする課題】
【０００４】
前述したポジティブリード型の４群ズームレンズは大口径比、高ズーム比が比較的容易である。しかしながらズーム比が１００倍程度の高ズーム比になると、諸収差の変動が多くなり、全ズーム領域で高い光学性能を得るのが難しくなってくる。特に望遠側のズーム位置では倍率色収差及び軸上色収差が多く発生してくる。そのため色収差として一次スペクトルのみならず、二次スペクトルでの補正を良好に行うことが高画質な像性能を得るために重要になっている。ポジティブリード型の４群ズームレンズにおいて、高ズーム比化を図りつつ、色収差を良好に補正し、高い光学性能を得るには変倍に伴う像面変動を補正する第３レンズ群のレンズ構成を、適切に設定することが重要な要素になっている。この第３レンズ群のレンズ構成が適切でないと、ズーミングによる収差変動、例えば、色収差、球面収差、ハロコマ収差、球面収差の色差等の変動が多くなり、高ズーム比で高性能化を図るのが困難となる。特にズーム比１００程度の高ズーム比化を図ったとき、望遠端において軸上色収差が増大し、更に２次スペクトルの残存収差等が多くなり、これらを良好に補正するのが困難となる。
【０００５】
本発明は、高ズーム比で、広角端から望遠端における全ズーム範囲にわたり色収差を良好に補正し、全ズーム範囲において高い光学性能を有するズームレンズ及びそれを有する撮像装置の提供を目的とする。
【課題を解決するための手段】
【０００６】
本発明のズームレンズは、物体側から像側へ順に、ズーミングに際して不動の正の屈折力の第１レンズ群と、ズーミングに際して、移動する負の屈折力の第２レンズ群と、該第２レンズ群の移動に連動して光軸上を移動し、変倍に伴う像面変動を補正する正の屈折力の第３レンズ群と、ズーミングに際して不動の結像作用をする正の屈折力の第４レンズ群からなるズームレンズであって、該第３レンズ群は正レンズと負レンズを有しており、該第３レンズ群を構成する負レンズの材料のアッベ数と部分分散比の平均値を各々νｎａ、θｎａ、該第３レンズ群を構成する正レンズの材料のアッベ数と部分分散比の平均値を各々νｐａ、θｐａ、該第３レンズ群を構成する各レンズの比重の平均値をＳＧａ３とするとき、
−１．４×１０−３＞（θｐａ−θｎａ）／（νｐａ−νｎａ）＞−２．０×１０−３
４１＜νｐａ−νｎａ＜５３
２．９＜ＳＧａ３＜３．２
なる条件を満足することを特徴としている。
【発明の効果】
【０００７】
本発明によれば、高ズーム比で、広角端から望遠端における全ズーム範囲にわたり色収差を良好に補正し、全ズーム範囲において高い光学性能を有するズームレンズ及びそれを有する撮像装置が得られる。
【図面の簡単な説明】
【０００８】
【図１】数値実施例１の広角端における断面図
【図２】数値実施例１の広角端，中間のズーム位置，望遠端における収差図
【図３】数値実施例２の広角端における断面図
【図４】数値実施例２の広角端，中間のズーム位置，望遠端における収差図
【図５】数値実施例３の広角端における断面図
【図６】数値実施例３の広角端，中間のズーム位置，望遠端における収差図
【図７】数値実施例４の広角端における断面図
【図８】数値実施例４の広角端，中間のズーム位置，望遠端における収差図
【図９】数値実施例５の広角端における断面図
【図１０】数値実施例５の広角端，中間のズーム位置，望遠端における収差図
【図１１】数値実施例６の広角端における断面図
【図１２】数値実施例６の広角端，中間のズーム位置，望遠端における収差図
【図１３】数値実施例７の広角端における断面図
【図１４】数値実施例７の広角端，中間のズーム位置，望遠端における収差図
【図１５】２色の色消しと二次スペクトル残存に関する模式図
【図１６】アッベ数と部分分散比との関係を示す模式図
【図１７】本発明の撮像装置の要部概略図
【図１８】（Ａ）は本実施例の広角端の光路図、（Ｂ）は本実施例のズーム中間（３５１ｍｍ）の光路図、（Ｃ）は本実施例の望遠端の光路図
【発明を実施するための形態】
【０００９】
以下に、本発明の実施の形態を添付の図面に基づいて詳細に説明する。本発明のズームレンズは、物体側から像側へ順に、ズーミングに際して不動の正の屈折力の第１レンズ群（フォーカスレンズ群）と、ズーミングに際して、移動する負の屈折力の第２レンズ群（バリエータ）を有している。更に、第２レンズ群の移動に連動して光軸上を移動し、変倍に伴う像面変動を補正する正の屈折力の第３レンズ群（コンペンセーター）と、ズーミングに際して不動の結像作用をする正の屈折力の第４レンズ群（リレーレンズ群）からなっている。そして第３レンズ群は正レンズと負レンズを有している。
【００１０】
図１は本発明の実施例１（数値実施例１）のズームレンズの広角端で無限遠物体に合焦しているときのレンズ断面図である。図２（Ａ）、（Ｂ）、（Ｃ）は、数値実施例１の広角端、中間のズーム位置（焦点距離３５１ｍｍ）、望遠端における縦収差図である。但し、焦点距離の値は、後述する数値実施例をｍｍ単位で表したときの値である。これは以下の各実施例において、全て同じである。図３は本発明の実施例２（数値実施例２）のズームレンズの広角端で無限遠物体に合焦しているときのレンズ断面図である。図４（Ａ）、（Ｂ）、（Ｃ）は、数値実施例２の広角端、中間のズーム位置（焦点距離３５１ｍｍ）、望遠端における縦収差図である。図５は本発明の実施例３（数値実施例３）のズームレンズの広角端で無限遠物体に合焦しているときのレンズ断面図である。図６（Ａ）、（Ｂ）、（Ｃ）は、数値実施例３の広角端、中間のズーム位置（焦点距離３５７ｍｍ）、望遠端における縦収差図である。図７は本発明の実施例４（数値実施例４）のズームレンズの広角端で無限遠物体に合焦しているときのレンズ断面図である。図８（Ａ）、（Ｂ）、（Ｃ）は、数値実施例４の広角端、中間のズーム位置（焦点距離３５７ｍｍ）、望遠端における縦収差図である。図９は本発明の実施例５（数値実施例５）のズームレンズの広角端で無限遠物体に合焦しているときのレンズ断面図である。図１０（Ａ）、（Ｂ）、（Ｃ）は、数値実施例５の広角端、中間のズーム位置（焦点距離３５１ｍｍ）、望遠端における縦収差図である。図１１は本発明の実施例６（数値実施例６）のズームレンズの広角端で無限遠物体に合焦しているときのレンズ断面図である。図１２（Ａ）、（Ｂ）、（Ｃ）は、数値実施例６の広角端、中間のズーム位置（焦点距離３５１ｍｍ）、望遠端における縦収差図である。図１３は本発明の実施例７（数値実施例７）のズームレンズの広角端で無限遠物体に合焦しているときのレンズ断面図である。図１４（Ａ）、（Ｂ）、（Ｃ）は、数値実施例７の広角端、中間のズーム位置（焦点距離３５１ｍｍ）、望遠端における縦収差図である。
【００１１】
各実施例のズームレンズは、物体側から像側へ順に、合焦用の正の屈折力の第１レンズ群（フォーカスレンズ群）Ｕ１を有している。更に、広角端（短焦点距離端）から望遠端（長焦点距離端）へのズーミングに際して、像側へ移動する変倍用の負の屈折力の第２レンズ群（バリエータ）Ｕ２を有している。更に、第２群レンズ群Ｕ２の移動に連動して光軸上を非直線的に移動し、変倍に伴う像面位置の変動を補正する正の屈折力の第３レンズ群（コンペンセーター）Ｕ３を有している。更に、ズーミングに際して不動で結像作用をする正の屈折力の第４レンズ群（リレーレンズ群）Ｕ４を有している。第２レンズ群Ｕ２と第３レンズ群Ｕ３とで変倍系を構成している。レンズ断面図においてＳＰは開口絞りであり、第３レンズ群Ｕ３の像側に配置されている。Ｐは色分解プリズムや光学フィルター等の光学部材であり、硝子ブロックとして示している。ＩＰは像面であり、固体撮像素子（光電変換素子）の撮像面に相当している。
【００１２】
各実施例の収差図において、球面収差は、ｇ線（二点鎖線）とｅ線（実線）とＣ線（一点鎖線）を示している。非点収差はｅ線のメリディオナル像面（ｍｅｒｉ）（点線）とｅ線のサジタル像面（ｓａｇｉ）（実線）を示している。倍率色収差はｇ線（二点鎖線）とＣ線（一点鎖線）によってあらわしている。ＦｎｏはＦナンバー、ωは半画角である。すべての収差図において、球面収差は０．４ｍｍ、非点収差は０．４ｍｍ、歪曲は５％、倍率色収差は、０．０５ｍｍのスケールで描かれている。尚、以下の各実施例において広角端と望遠端は変倍用の第２レンズ群Ｕ２が機構上光軸上を移動可能な範囲の両端に位置したときのズーム位置をいう。
【００１３】
次に各実施例の特徴について説明する。各実施例のズームレンズでは、第３レンズ群Ｕ３は少なくとも４枚の正レンズと少なくとも１枚の負レンズを有している。そして第３レンズ群Ｕ３を構成する負レンズの材料のアッベ数と部分分散比の平均値を各々νｎａ、θｎａとする。また第３レンズ群Ｕ３を構成する正レンズの材料のアッベ数と部分分散比の平均値を各々νｐａ、θｐａとする。また第３レンズ群Ｕ３を構成する各レンズの比重の平均値をＳＧａ３とする。このとき、
−１．４×１０−３＞（θｐａ−θｎａ）／（νｐａ−νｎａ）＞−２．０×１０−３
・・・（１）
４１＜νｐａ−νｎａ＜５３    ・・・（２）
２．９＜ＳＧａ３＜３．２      ・・・（３）
なる条件を満足している。各実施例のズームレンズは、第３レンズ群Ｕ３のレンズ構成、特に各レンズのレンズ材料の分散特性や比重等を適切に規定している。これにより、ズーム中間から望遠側における軸上色収差の二次スペクトルを良好に補正しながら、第３レンズ群Ｕ３を軽量化して変倍操作時の駆動トルクを低減し、ズーム操作性を良好にしている。
【００１４】
条件式（１）は、第３レンズ群Ｕ３における軸上色収差の二次スペクトの残存量を低減させ、ズーム中間から望遠端における軸上色収差の二次スペクトルの補正を適切にするための条件である。ここで、本実施例で用いている光学素子（レンズ）の材料の部分分散比とアッベ数は次のとおりである。フラウンフォーファ線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとする。アッベ数νｄ、ｇ線とＦ線に関する部分分散比θｇＦは次のとおりである。
νｄ＝（Ｎｄ−１）／（ＮＦ−ＮＣ）        ・・・（２５）
θｇＦ＝（Ｎｇ−ＮＦ）／（ＮＦ−ＮＣ）    ・・・（２６）
各実施例では、第３レンズ群Ｕ３のレンズ構成を前述の如く特定し、かつ諸条件式を満足するようにして色消しを効果的に行っている。
【００１５】
図１６にアッベ数νｄと部分分数比θｇＦとの関係を示すように、現存する光学材料はアッベ数νｄに対し部分分散比θｇＦが狭い範囲に分布している。アッベ数νｄの値が小さいほど部分分散比θｇＦが大きくなる傾向を持っている。いま、屈折力φ１、φ２、アッベ数ν１、ν２の２枚のレンズＧ１、Ｇ２で構成される薄肉密着系の色収差の補正条件は、
φ１／ν１＋φ２／ν２＝Ｅ        ・・・（２７）
であらわされる。ここで、合成の屈折力φは、
φ＝φ１＋φ２                    ・・・（２８）
である。３枚以上で構成される場合も同様に考えることができる。（２８）式において、Ｅ＝０とすると色収差においてＣ線とＦ線の光の結像位置が合致する。特に高倍率のズームレンズでは、変倍に伴う色収差変動を抑制するために、各レンズ群の色収差、すなわちＥが概ねゼロ近傍となるように補正される。
【００１６】
図１５（Ａ）において、正の屈折力のレンズ群ＬＰでの色消しでは正レンズＧ１としてアッベ数ν１の大きな材料、負レンズＧ２としてアッベ数ν２の小さな材料を用いる。したがって図１６より正レンズＧ１は部分分散比θ１が小さく、負レンズは部分分散比θ２が大きくなって、Ｆ線とＣ線で色収差を補正するとｇ線の結像点が像側にずれる。物体距離を無限遠として光束を入射した場合のずれ量を二次スペクトル量Δとして定義すると、
Δ＝−（１／φ）・（θ１−θ２）／（ν１−ν２）    ・・・（２９）
であらわされる。図１５（Ｂ）において、負の屈折力のレンズ群ＬＮの色消しでは負レンズＧ１としてアッベ数ν１の大きな材料、正レンズＧ２としてアッベ数ν２の小さな材料を用いる。したがって図１６に示すように、Ｆ線とＣ線で色収差を補正すると、ｇ線の結像点が物体側にずれ、二次スペクトル量Δは負となる。この現象は本実施例の４群ズームレンズでは負の屈折力の第２レンズ群Ｕ２で発生する。
【００１７】
ここで第２・第３・第４レンズ群Ｕ２・Ｕ３・Ｕ４の結像倍率を順にβ２、β３、β４とすると、
Δ＝Δ１・β２２・β３２・β４２
＋Δ２・（β２−１）２・β３２・β４２
＋Δ３・（β３−１）２・β４２
＋Δ４・（β４−１）２                ・・・（３１）
となる。但し、Δｉは第ｉレンズ群の二次スペクトル量である。したがって、（３１）式における第１項は負、第２項は正、第３項は負となる。
【００１８】
図１８（Ａ）に本実施例の広角端の光路図を、図１８（Ｂ）に本実施例のズーム中間（３５１ｍｍ）の光路図を、図１８（Ｃ）に本実施例の望遠端の光路図を示す。本実施例におけるズーム中間の焦点距離ｆｍｉｄは、広角端における全系のＦナンバーをＦｗｉｄｅ、望遠端における全系のＦナンバーをＦｔｅｌｅとしたとき、
ｆｍｉｄ  ≒  ｆｔｅｌｅ・Ｆｗｉｄｅ／Ｆｔｅｌｅ    ・・・（３０）
で概略設定される。二次スペクトル量Δは、本実施例の４群ズームレンズでは屈折力が小さく、望遠側において軸上マージナル光線が高い位置を通る第１レンズ群Ｕ１で顕著に発生する。また、第３レンズ群Ｕ３は広角端および望遠端では軸上マージナル光線が低く、ズーム中間ｆｍｉｄにおいてもっとも高い位置を通るため、ズーム中間ｆｍｉｄ付近での軸上色収差の変動に大きく影響する。第３レンズ群Ｕ３は変倍に伴って移動し、結像倍率β３の絶対値は望遠側で増大する。これから、２次スペクトル量Δ３の絶対値を小さくすることにより、変倍に伴う２次スペクトル量Δの変動および、望遠端における２次スペクトル量Δを効果的に抑制することができる。さらに二次スペクトル量Δ１の残存許容量が増大することにより、第１レンズ群Ｕ１の正レンズと負レンズの材料のアッベ数の差を大きくして各構成レンズの屈折力を小さくすることが可能となって、第１レンズ群Ｕ１の全厚をより小さくすることができる。
【００１９】
条件式（１）は以上の点を考慮して、第３レンズ群Ｕ３を構成する正レンズと負レンズの材料のアッベ数と部分分散比を設定したものである。条件式（１）の上限を越えると、第３レンズ群Ｕ３による二次スペクトルの補正効果が不足してしまい、望遠端において軸上色収差を良好に補正することが困難となってくるので良くない。更に好ましくは条件式（１）の下限値の数値を次の如く設定するのが良い。
【００２０】
（θｐａ−θｎａ）／（νｐａ−νｎａ）＞  −１．７×１０−３  ・・・（１ａ）
条件式（２）は、第３レンズ群Ｕ３を構成する正レンズと負レンズのアッベ数の差の平均値を適切に規定するものである。これによって、第３レンズ群Ｕ３内の色収差の補正を適切に行うと共に、第３レンズ群Ｕ３を軽量化し変倍操作時の駆動力を低減して操作性を良好としている。変倍操作時の仕事量Ｔは、第２レンズ群Ｕ２、第３レンズ群Ｕ３の質量を各々Ｗ２、Ｗ３、変倍時の移動量を各々ｍ２、ｍ３としたとき、
Ｔ≒ｍ２・Ｗ２＋ｍ３・Ｗ３      ・・・（３２）
であらわされる。ここで第ｉレンズ群の質量Ｗｉは、第ｉレンズ群の最大有効径をｅａｉ、レンズ構成長をｂｄｉ、構成レンズの比重の平均値をＳＧａｉとしたとき、概略以下の式で表される。
Ｗｉ＝第ｉレンズ群内の各レンズの体積・各レンズの比重
≒π・（ｅａｉ／２）２・ｂｄｉ・ＳＧａｉ・Ｃ      ・・・（３３）
Ｃは係数であり、直径ｅａｉ、長さｂｄｉの円筒に対する第ｉレンズ群の材料が占める体積比に相当する値であって、レンズ群の屈折力が正の場合は０．５〜０．７、負の場合は０．６〜０．８程度となる。
【００２１】
本発明のズームレンズでは、第３レンズ群Ｕ３の最大有効径ｅａ３が第２レンズ群Ｕ２の最大有効径ｅａ２に対し２倍程度である。第３レンズ群Ｕ３のレンズ構成長ｂｄ３が第２レンズ群Ｕ２のレンズ構成長ｂｄ２に対し２倍以上と大きい。このため、第２レンズ群Ｕ２より第３レンズ群Ｕ３の質量が著しく大きくなる。したがって（３２）式は第３レンズ群Ｕ３の寄与が支配的であり、仕事量Ｔの低減のためには第３レンズ群Ｕ３の軽量化が重要となってくる。特に高倍率化（高ズーム比化）や大口径化を図ると最大有効径ｅａ３の増大が顕著となるため、第３レンズ群Ｕ３の質量増加を抑制するためには、（３３）式からレンズ構成長ｂｄ３を低減するか、構成レンズの比重の平均値ＳＧａ３を小さくする必要がある。ここでは最大有効径ｅ３ａとレンズ構成長ｂｄ３の比を以下の条件を満足するように設定するのが良い。
０．６  ＜  ｂｄ３／ｅａ３  ＜  ０．８        ・・・（３４）
条件式（３４）の上限を超えると第３レンズ群Ｕ３の質量が増加してしまう。条件式（３４）の下限を超えると第３レンズ群Ｕ３の質量は低減するが、条件式（１）、（２）を満足するための材料の選択が困難となってくる。更に好ましくは条件式（３４）の数値範囲を次の如く設定するのが良い。
【００２２】
０．６３  ＜  ｂｄ３／ｅａ３  ＜  ０．７５        ・・・（３４ａ）
また（２７）式および（２８）式から、正レンズの材料のアッベ数を大きくし、負レンズの材料のアッベ数を小さくするほど各々のレンズの屈折力が小さくなる。屈折力が小さくなると各レンズ面の曲率が小さくなり、同じ有効径であれば各レンズの最大厚が低減し、レンズ構成長ｂｄ３が小さくなって、軽量化を図ることができる。条件式（２）の下限を超えると第３レンズ群Ｕ３内の各レンズの屈折力が大きくなって、第３レンズ群Ｕ３の体積が増大して質量が増加し、変倍操作時の駆動トルクが増大してしまう。条件式（２）の上限を超えると各レンズの体積は低減するが、以下に説明する条件式（３）と両立する材料の選択が困難となってくる。条件式（３）は、第３レンズ群Ｕ３を構成するすべてのレンズの材料の比重ＳＧの平均値を適切に規定して、第３レンズ群Ｕ３を軽量化するための条件である。
【００２３】
図１８に示すように、第３レンズ群Ｕ３はズーム中間で軸上マージナル光線が高い位置を通る。また、（３０）式から、結像倍率β３が比較的大きくなるズーム中間から望遠端にかけて軸上色収差への影響が大きくなる。この傾向はズーム比が大きくなるほど顕著になってくる。条件式（１）、（２）を満たすように第３レンズ群Ｕ３の各レンズの材料を選択すると、正レンズとしてはアッベ数６０〜１００程度で部分分散比θｇＦが大きく、異常分散性△θｇＦが正に大きい光学材料、いわゆる異常分散材料を多用する必要がある。異常分散材料とは、例えば商品名Ｓ−ＦＰＬ５１（（株）オハラ製）、商品名Ｓ−ＦＰＬ５３（（株）オハラ製）等の材料で、屈折率１．４〜１．６、アッベ数６０〜９６、比重３．５〜４．６の範囲のものが多い。蛍石等の結晶材料も異常分散材料であるが、線膨張係数や屈折率の温度依存性が光学ガラスに対し大きく、環境温度に対する光学性能変化が大きいために第３レンズ群Ｕ３には通常使用しない。また、負レンズとしてはアッベ数２８以下のガラス材料を用いる必要があるが、その比重は３．０以上の範囲に分布している。したがって、正レンズ４枚以上、負レンズ１枚の構成での平均比重は３．４以上となってしまう。
【００２４】
条件式（３）の上限値を超えると第３レンズ群Ｕ３の質量が増大して変倍操作時の駆動トルクが増え、操作性が悪化してしまう。条件式（３）の下限値を超えると第３レンズ群Ｕ３の質量は低減するが、正レンズとして異常分散性の材料を使用する割合を減らすこととなり、条件式（１）を満たすことが困難となってくる。更に好ましくは条件式（１ａ）、（２）、（３）の数値範囲を次の如く設定するのが良い。
−１．４５×１０−３＞（θｐａ−θｎａ）／（νｐａ−νｎａ）＞−１．６７×１０−３
・・・（１ｂ）
４８＜νｐａ−νｎａ＜５２    ・・・（２ａ）
３．００＜ＳＧａ３＜３．１５  ・・・（３ａ）
以上のように各実施例によれば第３レンズ群Ｕ３を軽量化しつつ軸上色収差及び倍率色収差等を適切に補正し、ズーム全域で良好なる光学性能を有するズームレンズが得られるが更に好ましくは、以下の条件のうち少なくとも１以上を満足するのが良い。
【００２５】
第３レンズ群Ｕ３に含まれるレンズのうち、材料のアッベ数がもっとも小さい負レンズの焦点距離、材料のアッベ数、部分分散比を順にｆ３ｎ、νｎ、θｎとする。また材料のアッベ数がもっとも大きい正レンズの焦点距離、材料のアッベ数、部分分散比を順にｆ３ｐ、νｐ、θｐとする。第１レンズ群Ｕ１、第２レンズ群Ｕ２、第３レンズ群Ｕ３の焦点距離を順にｆ１、ｆ２、ｆ３とする。第３レンズ群Ｕ３に含まれる正レンズの屈折力の合計値をφｐ、第３レンズ群Ｕ３に含まれる負レンズの屈折力の合計値をφｎとする。第３レンズ群Ｕ３の屈折力をφ３とする。第３レンズ群Ｕ３に含まれる正レンズのうち、少なくとも１枚の正レンズＧ３ｐ１の材料のアッベ数、部分分散比、屈折率、比重を順に、ν３ｐ１、θ３ｐ１、Ｎ３ｐ１、ＳＧ３ｐ１とする。第３レンズ群Ｕ３に含まれる正レンズのうち、正レンズＧ３ｐ１以外の少なくとも１枚の正レンズＧ３ｐ２の材料のアッベ数、部分分散比、屈折率、比重を順に、ν３ｐ２、θ３ｐ２、Ｎ３ｐ２、ＳＧ３ｐ２とする。第３レンズ群Ｕ３に含まれる１枚の負レンズＧ３ｎ１の材料のアッベ数、部分分散比、屈折率、比重を順に、ν３ｎ１、θ３ｎ１、Ｎ３ｎ１、ＳＧ３ｎ１とする。ズームレンズの広角端と望遠端における焦点距離を各々ｆｗｉｄｅ、ｆｔｅｌｅとする。このとき、以下の条件式のうち１以上を満足するのが良い。
【００２６】
−１．２×１０−３＜（θｐ−θｎ）／（νｐ−νｎ）＜−１．１×１０−３ 
・・・（４）
０．８＜（１／ｆ３）／（１／ｆ３ｐ−１／ｆ３ｎ）＜１．１ ・・・（５）
１．６＜φｐ／φ３＜１．７ ・・・（６）
−０．６＜φｎ／φ３＜−０．４ ・・・（７）
６０＜ν３ｐ１＜７５ ・・・（８）
０．５３＜θ３ｐ１＜０．５４ ・・・（９）
１．５５＜Ｎ３ｐ１＜１．６５ ・・・（１０）
３．０＜ＳＧ３ｐ１＜３．２ ・・・（１１）
６０＜ν３ｐ２＜７５ ・・・（１２）
０．５２＜θ３ｐ２＜０．５４ ・・・（１３）
１．４５＜Ｎ３ｐ２＜１．５５ ・・・（１４）
２．４＜ＳＧ３ｐ２＜２．６ ・・・（１５）
２０＜ν３ｎ１＜２８ ・・・（１６）
０．６＜θ３ｎ１＜０．６１５ ・・・（１７）
１．７＜Ｎ３ｎ１＜２．０ ・・・（１８）
３．０＜ＳＧ３ｎ１＜３．７ ・・・（１９）
１４．５＜ｆｔｅｌｅ／ｆ３＜１７．０ ・・・（２０）
２７＜ｆ１・ｆ３／ｆ２２＜２９ ・・・（２１）
９．５＜｜ｆ１／ｆ２｜＜１１ ・・・（２２）
３．９＜ｆｔｅｌｅ／ｆ１＜６ ・・・（２３）
２４＜ｆ１／ｆｗｉｄｅ＜３０ ・・・（２４）
次に前述の各条件式の技術的意味について説明する。
【００２７】
条件式（４）、（５）は、第３レンズ群Ｕ３における二次スペクトルの補正に最も効果的な正レンズと負レンズの材料のアッベ数および部分分散比を適切に規定して、ズーム中間から望遠端において軸上色収差の変動を良好に補正するための条件である。条件式（４）は、第３レンズ群Ｕ３を構成するレンズのうち、特に第３レンズ群Ｕ３における二次スペクトルの補正に最も効果的な正レンズと負レンズの材料のアッベ数および部分分散比の条件を規定している。条件式（４）の下限を越えると、第３レンズ群Ｕ３における二次スペクトルの補正効果が不足してしまい、高倍率化（高ズーム比化）を達成しながらズーム中間から望遠端における軸上色収差の変動を良好に補正することが困難となってくる。条件式（４）の上限を越えると、第３レンズ群Ｕ３における二次スペクトルの補正効果は良好となるが、第３レンズ群Ｕ３の構成レンズの材料の選択が困難となって、条件式（１）、（２）、（３）を両立することが困難となってくる。
【００２８】
条件式（５）は、第３レンズ群Ｕ３全体の屈折力と、第３レンズ群Ｕ３における二次スペクトルの補正に最も効果的な正レンズと負レンズの屈折力との関係を規定している。条件式（５）の上限を越えると、第３レンズ群Ｕ３における二次スペクトルの補正が不足してしまい、高倍率化（高ズーム比化）を達成しながらズーム中間から望遠端における軸上色収差の変動を良好に補正することが困難となってくる。条件式（５）の下限を越えると、第３レンズ群Ｕ３における二次スペクトルの補正は良好となるが、焦点距離ｆ３ｐおよび焦点距離ｆ３ｎの絶対値が小さくなって屈折力が大きくなり、レンズの体積および質量が増大してしまう。条件式（６）、（７）は、第３レンズ群Ｕ３全体に対する、第３レンズ群Ｕ３内の正レンズおよび負レンズの屈折力の比を規定して、ズーム中間から望遠端において軸上色収差の変動を良好に補正するための条件である。条件式（６）は、第３レンズ群Ｕ３全体の屈折力に対する、第３レンズ群Ｕ３内の正レンズの屈折力の比を規定している。条件式（７）は第３レンズ群Ｕ３全体の屈折力に対する第３レンズ群Ｕ３内の負レンズの屈折力の比を規定している。条件式（６）の下限および条件式（７）の上限を超えると、第３レンズ群Ｕ３における二次スペクトルの補正効果が不足してしまう。この結果、高倍率化（高ズーム比化）を達成しながらズーム中間から望遠端における軸上色収差の変動を良好に補正することが困難となってくる。
【００２９】
条件式（８）乃至（１９）は第３レンズ群Ｕ３を構成する各レンズの材料に関する条件であって、これらを満たす材料を使用することにより条件式（１）、（２）、（３）をバランス良く両立することが容易となる。また２次スペクトルを良好に補正することが容易になる。条件式（８）乃至（１１）は第３レンズ群Ｕ３に使用する正レンズＧ３ｐ１の材料の光学特性を規定するものである。これらの条件式は正の異常分散性をもちかつ比較的低比重の材料を使用することを規定している。第３レンズ群Ｕ３中の正レンズのうち少なくとも１枚の正レンズＧ３ｐ１はこれらの条件式（８）乃至（１１）を満たすことが望ましい。条件式（１２）乃至（１５）は第３レンズ群Ｕ３に使用する正レンズＧ３ｐ２の材料の光学特性を規定するものである。異常分散性が小さいが低比重の材料を使用することにより、比重の平均値ＳＧａを低減して条件式（３）を満たすのに効果的である。第３レンズ群Ｕ３中の正レンズのうち少なくとも１枚の正レンズＧ３ｐ２はこれらの条件式（１２）乃至（１５）を満たすことが望ましい。
【００３０】
条件式（１６）乃至（１９）は第３レンズ群Ｕ３に使用する負レンズのうち少なくとも１つの負レンズＧ３ｎ１の材料の光学特性を規定するものである。これらの条件式を満足することによって第３レンズ群Ｕ３内における２次スペクトルを良好に補正している。条件式（２０）乃至（２４）は各レンズ群の屈折力の関係を規定して、１００倍以上の高倍率化（高ズーム比化）と高い光学性能、全系の小型化を両立するための諸条件を規定している。条件式（２０）は、望遠端の焦点距離と第３レンズ群Ｕ３の焦点距離の比を規定することにより、高倍率化（高ズーム比化）を達成しながら変倍（ズーミング）に伴う収差変動を良好に補正するためのものである。条件式（２０）の下限を超えると第３レンズ群Ｕ３の屈折力は小さくなり、光学性能には有利となるが、変倍による移動レンズ群のストロークが増大して全系が大型化してしまう。条件式（２０）の上限を超えると第３レンズ群Ｕ３の屈折力が大きくなりすぎ、変倍（ズーミング）に伴う収差変動が増大してくる。
【００３１】
条件式（２１）は、第1レンズ群Ｕ１・第2レンズ群Ｕ２・第３レンズ群Ｕ３の焦点距離の関係を規定することにより、高倍率化（高ズーム比化）を達成しながらズームストロークを低減して全系の小型化を図るための条件である。条件式（２１）の下限を超えると第２レンズ群Ｕ２の焦点距離が小さくなりすぎ、小型化には有利となるが、変倍（ズーミング）に伴う収差変動が増大してくる。条件式（２１）の上限を超えると光学性能は良好となるが、変倍による移動レンズ群のストロークが増大して全系が大型化してしまう。条件式（２２）は、第１レンズ群Ｕ１の焦点距離と第２レンズ群Ｕ２の焦点距離の比を規定するものである。条件式（２２）を満足することにより、軸上色収差を良好に補正しながら変倍に伴う移動レンズ群のストロークを低減し、１００倍以上の高倍率化（高ズーム比化）を達成しながらレンズ全長を短縮している。条件式（２２）の下限を超えると変倍による移動レンズ群のストロークが増大して全系が大型化してしまう。条件式（２２）の上限を超えると全系の小型化には有利であるが、変倍（ズーミング）に伴う収差変動が増大する。
【００３２】
条件式（２３）は、望遠端の焦点距離と第１レンズ群Ｕ１の焦点距離の比を規定することにより、高倍率化（高ズーム比化）を達成しながら軸上色収差を良好に補正している。条件式（２３）の下限を超えると第１レンズ群Ｕ１の焦点距離が増大して、１００倍以上の高倍率化（高ズーム比化）と全系の小型化を図るのが困難となってくる。条件式（２３）の上限を超えると全系の小型化には有利であるが、望遠端における光学性能、特に軸上色収差を良好に補正することが困難となってくる。条件式（２４）は、第１レンズ群Ｕ１の焦点距離と広角端における焦点距離の比を規定している。条件式（２４）の下限を超えると全系の小型化には有利であるが、広角端において広画角化が困難となってくる。条件式（２４）の上限を超えると広角端における広画角化には有利であるが、第１レンズ群Ｕ１の有効径が増大し全系の小型化が困難となってくる。更に好ましくは条件式（４）乃至（７）、（２０）乃至（２４）の数値範囲を次の如く設定するのが良い。
【００３３】
−１．１８×１０−３＜（θｐ−θｎ）／（νｐ−νｎ）＜−１．１×１０−３
・・・（４ａ）
０．８５＜（１／ｆ３）／（１／ｆ３ｐ−１／ｆ３ｎ）＜１．０８ ・・・（５ａ）
１．６０３＜φｐ／φ３＜１．６９０ ・・・（６ａ）
−０．５６＜φｎ／φ３＜−０．４４ ・・・（７ａ）
１４．５１＜ｆｔｅｌｅ／ｆ３＜１６．９０ ・・・（２０ａ）
２７．０２＜ｆ１・ｆ３／ｆ２２＜２８．８０ ・・・（２１ａ）
９．７＜｜ｆ１／ｆ２｜＜１０．５ ・・・（２２ａ）
３．９＜ｆｔｅｌｅ／ｆ１＜５．０ ・・・（２３ａ）
２４．５＜ｆ１／ｆｗｉｄｅ＜２９．５ ・・・（２４ａ）
各実施例において第３レンズ群Ｕ３は物体側から像側へ順に、両凸形状の正レンズ、両凸形状の正レンズ、物体側の面が凸でメニスカス形状の負レンズ、物体側の面が凸形状の正レンズ、物体側の面が凸形状の正レンズで構成している。または第３レンズ群Ｕ３は物体側から像側へ順に、両凸形状の正レンズ、両凸形状の正レンズ、両凸形状の正レンズ、物体側の面が凹形状の負レンズ、物体側の面が凸形状の正レンズで構成している。これによって第３レンズ群Ｕ３より発生する２次スペクトルを軽減し、ズーミングに伴う色収差の変動を少なくし、全ズーム範囲にわたり高い光学性能を得るのを容易にしている。
【００３４】
次に各実施例のレンズ構成のうち前述した特徴以外の特徴について説明する。
［実施例１］
まず実施例１における第３レンズ群Ｕ３の構成について説明する。第３レンズ群Ｕ３は数値実施例１において第１８面〜第２６面に対応する。第３レンズ群Ｕ３は物体側より順に、両凸形状の正レンズＧ１、両凸形状の正レンズＧ２、物体側に凸のメニスカス形状の負レンズＧ３、両凸形状の正レンズＧ４、両凸形状の正レンズＧ５で構成される。正レンズＧ１の像側の面は非球面形状である。正レンズＧ５の物体側の面は非球面形状である。負レンズＧ３と正レンズＧ４は接合されている。なお、正レンズＧ２は正レンズＧ３ｐ１に相当し、条件式（８）、（９）、（１０）、（１１）を満足している。正レンズＧ１および正レンズＧ５は正レンズＧ３ｐ２に相当し、条件式（１２）、（１３）、（１４）、（１５）を満足している。負レンズＧ３は条件式（１６）、（１７）、（１８）、（１９）を満足している。
【００３５】
本実施例のズームレンズは、以下物体側から像側へ順に、第１レンズ群Ｕ１は像側が凹形状の負レンズ、物体側が凸形状の３つの正レンズ、物体側が凸でメニスカス形状の正レンズの５つのレンズより成っている。第２レンズ群Ｕ２は、像側が凹形状の負レンズ、両凹形状の負レンズと物体側が凸形状の正レンズとを接合した接合レンズ、物体側が凹形状の負レンズの４つのレンズより成っている。第４レンズ群Ｕ４は、正レンズと負レンズを含む全体として１２枚のレンズより成っている。本実施例の各条件式の対応値を表１に示す。数値実施例１はいずれの条件式も満足している。本実施例は、１００倍の高倍率化（高ズーム比化）を達成しながらレンズ全長が短く、高い光学性能を達成し、ズーム駆動トルクが小さく操作性が良好なズームレンズを達成している。
【００３６】
本実施例の第２レンズ群Ｕ２、第３レンズ群Ｕ３の質量Ｗ２、Ｗ３は、各レンズの有効径最大値に基づいて計算した値で
Ｗ２＝１４２（ｇ）
Ｗ３＝６６５（ｇ）
である。
ｅａ２＝４３．８５８
ｅａ３＝８６．２７３
ｂｄ２＝２５．３９２
ｂｄ３＝５９．１５２
より、（３３）式の係数Ｃは各々、
Ｃ（第２レンズ群）＝０．７４４
Ｃ（第３レンズ群）＝０．６２６
となる。また、広角端から望遠端までの変倍時の移動量ｍ２、ｍ３は、
ｍ２＝１７４．５９  （ｍｍ）
ｍ３＝８３．７６    （ｍｍ）
であって、仕事量Ｔは、
Ｔ＝８．０５×１０４  （ｇ・ｍｍ）
である。
【００３７】
［実施例２］
実施例２において、第１レンズ群Ｕ１から第４レンズ群Ｕ４までのレンズ構成における各レンズの形状、非球面等は実施例１と同じである。そして実施例１と同様の効果を得ている。正レンズＧ２（正レンズＧ３ｐ１に相当）は、条件式（８）、（９）、（１０）、（１１）を満足している。正レンズＧ１、Ｇ５（正レンズＧ３ｐ２に相当）は、条件式（１２）、（１３）、（１４）、（１５）を満足している。負レンズＧ３は条件式（１６）、（１７）、（１８）、（１９）を満足している。
【００３８】
本実施例の第２レンズ群Ｕ２、第３レンズ群Ｕ３の質量Ｗ２、Ｗ３は、各レンズの有効径最大値に基づいて計算した値で
Ｗ２＝１３３（ｇ）
Ｗ３＝６５５（ｇ）
である。
ｅａ２＝４４．１１３
ｅａ３＝８５．４２７
ｂｄ２＝２５．９２５
ｂｄ３＝５９．７２５
より、（３３）式の係数Ｃは各々、
Ｃ（第２レンズ群）＝０．６７８
Ｃ（第３レンズ群）＝０．６２３
となる。また、広角端から望遠端までの変倍時の移動量ｍ２、ｍ３は、
ｍ２＝１６７．４５  （ｍｍ）
ｍ３＝８１．５５    （ｍｍ）
であって、仕事量Ｔは、
Ｔ＝７．５７×１０４  （ｇ・ｍｍ）
である。
【００３９】
［実施例３］
実施例３において、第１レンズ群Ｕ１から第４レンズ群Ｕ４までのレンズ構成における各レンズの形状、非球面等は実施例１と同じである。そして実施例１と同様の効果を得ている。正レンズＧ２（正レンズＧ３ｐ１に相当）は、条件式（８）、（９）、（１０）、（１１）を満足している。正レンズＧ１、Ｇ５（正レンズＧ３ｐ２に相当）は、条件式（１２）、（１３）、（１４）、（１５）を満足している。負レンズＧ３は条件式（１６）、（１７）、（１８）、（１９）を満足している。
【００４０】
本実施例の第２レンズ群Ｕ２、第３レンズ群Ｕ３の質量Ｗ２、Ｗ３は、各レンズの有効径最大値に基づいて計算した値で
Ｗ２＝１３６（ｇ）
Ｗ３＝６８６（ｇ）
である。
ｅａ２＝４４．６０７
ｅａ３＝８８．６２５
ｂｄ２＝２６．４２８
ｂｄ３＝５７．１８８
より、（３３）式の係数Ｃは各々、
Ｃ（第２レンズ群）＝０．７５８
Ｃ（第３レンズ群）＝０．６３３
となる。また、広角端から望遠端までの変倍時の移動量ｍ２、ｍ３は、
ｍ２＝１９８．１４  （ｍｍ）
ｍ３＝１０１．９４    （ｍｍ）
であって、仕事量Ｔは、
Ｔ＝９．６９×１０４  （ｇ・ｍｍ）
である。
【００４１】
［実施例４］
実施例４において、第１レンズ群Ｕ１から第４レンズ群Ｕ４までのレンズ構成における各レンズの形状、非球面等は実施例１と同じである。そして実施例１と同様の効果を得ている。正レンズＧ２（正レンズＧ３ｐ１に相当）は、条件式（８）、（９）、（１０）、（１１）を満足している。正レンズＧ１、Ｇ５（正レンズＧ３ｐ２に相当）は、条件式（１２）、（１３）、（１４）、（１５）を満足している。負レンズＧ３は条件式（１６）、（１７）、（１８）、（１９）を満足している。
【００４２】
本実施例の第２レンズ群Ｕ２、第３レンズ群Ｕ３の質量Ｗ２、Ｗ３は、各レンズの有効径最大値に基づいて計算した値で
Ｗ２＝１４２（ｇ）
Ｗ３＝６６５（ｇ）
である。
ｅａ２＝４４．０４８
ｅａ３＝９０．０３９
ｂｄ２＝２６．９２１
ｂｄ３＝６２．４６９
より、（３３）式の係数Ｃは各々、
Ｃ（第２レンズ群）＝０．７４１
Ｃ（第３レンズ群）＝０．６０９
となる。また、広角端から望遠端までの変倍時の移動量ｍ２、ｍ３は、
ｍ２＝１７６．２７  （ｍｍ）
ｍ３＝８９．１４  （ｍｍ）
であって、仕事量Ｔは、
Ｔ＝８．４３×１０４  （ｇ・ｍｍ）
である。
【００４３】
［実施例５］
実施例５における第３レンズ群Ｕ３の構成について説明する。第３レンズ群Ｕ３は数値実施例５において第１８面〜第２６面に対応する。第３レンズ群Ｕ３は物体側より順に、両凸形状の正レンズＧ１、両凸形状の正レンズＧ２、両凸形状の正レンズＧ３、物体側の面が凹形状の負レンズＧ４、両凸形状の正レンズＧ５で構成される。正レンズＧ１の像側の面は非球面形状である。正レンズＧ５の物体側の面は非球面形状である。正レンズＧ３と正レンズＧ４は接合されている。なお、正レンズＧ２は正レンズＧ３ｐ１に相当し、条件式（８）、（９）、（１０）、（１１）を満足している。正レンズＧ１および正レンズＧ５は正レンズＧ３ｐ２に相当し、条件式（１２）、（１３）、（１４）、（１５）を満足している。負レンズＧ４は条件式（１６）、（１７）、（１８）、（１９）を満足している。本実施例のズームレンズは、以下物体側から像側へ順に、第１レンズ群Ｕ１は像側が凹形状の負レンズ、物体側が凸形状の３つの正レンズ、物体側が凸でメニスカス形状の正レンズの５つのレンズより成っている。第２レンズ群Ｕ２は、像側が凹形状の負レンズ、両凹形状の負レンズと物体側が凸形状の正レンズとを接合した接合レンズ、物体側が凹形状の負レンズの４つのレンズより成っている。第４レンズ群Ｕ４は、正レンズと負レンズを含む全体として１２枚のレンズより成っている。
【００４４】
本実施例の各条件式の対応値を表１に示す。数値実施例５はいずれの条件式も満足している。本実施例は、１００倍の高倍率化を達成しながらレンズ全長が短く、高い光学性能を達成し、ズーム駆動トルクが小さく操作性が良好なズームレンズを達成している。本実施例の第２レンズ群Ｕ２、第３レンズ群Ｕ３の質量Ｗ２、Ｗ３は、各レンズの有効径最大値に基づいて計算した値で
Ｗ２＝１３８（ｇ）
Ｗ３＝６４９（ｇ）
である。
ｅａ２＝４４．０７２
ｅａ３＝８５．２１０
ｂｄ２＝２４．８５１
ｂｄ３＝５９．３５４
より、（３３）式の係数Ｃは各々、
Ｃ（第２レンズ群）＝０．７３６
Ｃ（第３レンズ群）＝０．６２４
となる。また、広角端から望遠端までの変倍時の移動量ｍ２、ｍ３は、
ｍ２＝１７４．５９  （ｍｍ）
ｍ３＝８３．７６    （ｍｍ）
であって、仕事量Ｔは、
Ｔ＝７．８５×１０４  （ｇ・ｍｍ）
である。
【００４５】
［実施例６］
実施例６において、第１レンズ群Ｕ１から第４レンズ群Ｕ４までのレンズ構成における各レンズの形状、非球面等は実施例１と同じである。そして実施例１と同様の効果を得ている。正レンズＧ２（正レンズＧ３ｐ１に相当）は、条件式（８）、（９）、（１０）、（１１）を満足している。正レンズＧ１、Ｇ５（正レンズＧ３ｐ２に相当）は、条件式（１２）、（１３）、（１４）、（１５）を満足している。負レンズＧ３は条件式（１６）、（１７）、（１８）、（１９）を満足している。本実施例の第２レンズ群Ｕ２、第３レンズ群Ｕ３の質量Ｗ２、Ｗ３は、各レンズの有効径最大値に基づいて計算した値で
Ｗ２＝１４１（ｇ）
Ｗ３＝６７３（ｇ）
である。
ｅａ２＝４３．８５８
ｅａ３＝８５．７３４
ｂｄ２＝２５．２４５
ｂｄ３＝６０．２３８
より、（３３）式の係数Ｃは各々、
Ｃ（第２レンズ群）＝０．７４３
Ｃ（第３レンズ群）＝０．６４９
となる。また、広角端から望遠端までの変倍時移動量ｍ２、ｍ３は、
ｍ２＝１７４．５９  （ｍｍ）
ｍ３＝８３．７６    （ｍｍ）
であって、仕事量Ｔは、
Ｔ＝８．１０×１０４  （ｇ・ｍｍ）
である。
【００４６】
［実施例７］
実施例７における第３レンズ群Ｕ３の構成について説明する。第３レンズ群Ｕ３は数値実施例７において第１８面〜第２６面に対応する。第３レンズ群Ｕ３は物体側より順に、両凸形状の正レンズＧ１、両凸形状の正レンズＧ２、物体側に凸のメニスカス形状の負レンズＧ３、両凸形状の正レンズＧ４、両凸形状の正レンズＧ５で構成される。正レンズＧ１の像側の面は非球面形状である。正レンズＧ５の物体側の面は非球面形状である。負レンズＧ３と正レンズＧ４は接合されている。なお、正レンズＧ１および正レンズＧ２は正レンズＧ３ｐ１に相当し、条件式（８）、（９）、（１０）、（１１）を満足している。正レンズＧ５は正レンズＧ３ｐ２に相当し、条件式（１２）、（１３）、（１４）、（１５）を満足している。負レンズＧ３は条件式（１６）、（１７）、（１８）、（１９）を満足している。本実施例において第１レンズ群Ｕ１、第２レンズ群Ｕ２、第４レンズ群Ｕ４のレンズ構成における各レンズの形状は実施例１と同じである。本実施例の各条件式の対応値を表１に示す。数値実施例７はいずれの条件式も満足している。本実施例は、１００倍の高倍率化を達成しながらレンズ全長が短く、高い光学性能を達成し、ズーム駆動トルクが小さく操作性が良好なズームレンズを達成している。
【００４７】
本実施例の第２レンズ群Ｕ２、第３レンズ群Ｕ３の質量Ｗ２、Ｗ３は、各レンズの有効径最大値に基づいて計算した値で
Ｗ２＝１４２（ｇ）
Ｗ３＝６９２（ｇ）
である。
ｅａ２＝４３．８７１
ｅａ３＝８５．８９４
ｂｄ２＝２５．４３０
ｂｄ３＝５８．８０７
より、（３３）式の係数Ｃは各々、
Ｃ（第２レンズ群）＝０．７４３
Ｃ（第３レンズ群）＝０．６５２
となる。また、広角端から望遠端までの変倍時移動量ｍ２、ｍ３は、
ｍ２＝１７４．５９  （ｍｍ）
ｍ３＝８３．７６    （ｍｍ）
であって、仕事量Ｔは、
Ｔ＝８．２８×１０４  （ｇ・ｍｍ）
である。
【００４８】
図１７は各実施例のズームレンズを撮影光学系として用いた撮像装置（テレビカメラシステム）の要部概略図である。図１７において１０１は実施例１〜７のいずれか１つのズームレンズである。１２４はカメラである。ズームレンズ１０１はカメラ１２４に対して着脱可能になっている。１２５はカメラ１２４にズームレンズ１０１を装着することにより構成される撮像装置である。ズームレンズ１０１は第１レンズ群Ｆ、変倍部ＬＺ、結像用の第４レンズ群Ｒを有している。第１レンズ群Ｆは合焦用レンズ群が含まれている。変倍部ＬＺは変倍の為に光軸上を移動する第２レンズ群と、変倍に伴う像面変動を補正する為に光軸上を移動する第３レンズ群が含まれている。
【００４９】
ＳＰは開口絞りである。第４レンズ群Ｒは光路中より挿抜可能なレンズユニットＩＥを有している。レンズユニットＩＥはズームレンズ１０１の全系の焦点距離範囲を変移している。尚、レンズユニットＩＥを有していなくても良い。１１４、１１５は、各々第１レンズ群Ｆ、変倍部ＬＺを光軸方向に駆動するヘリコイドやカム等の駆動機構である。１１６〜１１８は駆動機構１１４、１１５及び開口絞りＳＰを電動駆動するモータ（駆動手段）である。１１９〜１２１は、第１レンズ群Ｆの位置、変倍部ＬＺの光軸上の位置、開口絞りＳＰの絞り径を検出する為のエンコーダやポテンショメータ、あるいはフォトセンサ等の検出器である。カメラ１２４において、１０９はカメラ１２４内の光学フィルターや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【００５０】
以下に本発明の実施例１に対応する数値実施例１を示す。各数値実施例においていずれも、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉは第ｉ番目の光学部材の屈折率とアッベ数である。焦点距離、Ｆナンバー、画角はそれぞれ無限遠物体に焦点を合わせたときの値を表している。ＢＦは空気換算のバックフォーカスである。最後の３つの面は、フィルター等のガラスブロックである。非球面形状は光軸方向にＸ軸、光軸と垂直方向にＨ軸、光の進行方向を正とし、Ｒを近軸曲率半径、ｋを円錐常数、Ａ４、Ａ６、Ａ８をそれぞれ非球面係数としたとき、次式で表している。例えば「ｅ−Ｚ」は「×１０-Z」を意味する。また前述した各条件式（１）乃至（７）、（２０）乃至（２４）、（３４）と各数値実施例との対応値を表−１に示す。
【００５１】
【数１】
0005436091.tif 000002
【００５２】
［数値実施例１］
面番号   r         d        nd       νd   θgF   有効径   焦点距離  比重
1 13126.78386   6.00000  1.834000  37.16 0.5775 194.297 -427.550  4.43
2   349.23049   2.00000  1.000000   0.00 0.0000 189.672    0.000
3   349.23049  25.50282  1.433870  95.10 0.5373 190.730  493.998  3.18
4  -546.12372  21.13862  1.000000   0.00 0.0000 191.304    0.000
5   332.97759  20.41429  1.433870  95.10 0.5373 194.094  642.135  3.18
6 -1700.49807   0.25000  1.000000   0.00 0.0000 193.647    0.000
7   280.68012  18.30426  1.433870  95.10 0.5373 188.770  692.758  3.18
8  4016.26759   0.25000  1.000000   0.00 0.0000 187.583    0.000
9   163.31805  16.20661  1.438750  94.99 0.5342 174.290  714.824  3.62
10   329.54028   (可変)   1.00000    0.00 0.0000 172.423    0.000
11  2039.48287   2.00000  2.003300  28.30 0.5980  41.829  -43.963  5.23
12    43.50671   7.60062  1.000000   0.00 0.0000  37.318    0.000
13   -63.56307   2.00000  1.882997  40.76 0.5667  37.391  -30.772  5.52
14    48.65332  10.39620  1.922860  18.90 0.6495  40.653   32.163  3.58
15   -70.47371   1.39481  1.000000   0.00 0.0000  41.549    0.000
16   -56.93730   2.00000  1.882997  40.76 0.5667  41.577  -62.788  5.52
17* 2752.83143    (可変)  1.000000   0.00 0.0000  43.858    0.000
18   110.71865  12.04739  1.487490  70.23 0.5300  82.705  220.491  2.46
19*-4017.34203   0.20000  1.000000   0.00 0.0000  83.412    0.000
20   100.82507  14.56409  1.592010  67.02 0.5357  86.273  139.821  3.14
21  -446.35300   0.20000  1.000000   0.00 0.0000  85.783    0.000
22   126.36755   2.50000  1.902000  25.10 0.6117  82.108 -134.581  3.64
23    61.62355  20.34015  1.438750  94.99 0.5342  77.166  119.530  3.62
24  -321.98550   0.20000  1.000000   0.00 0.0000  76.147    0.000
25*   99.28922   9.10082  1.487490  70.23 0.5300  72.714  193.721  2.46
26 -2013.87176    (可変)  1.000000   0.00 0.0000  71.208    0.000
27     0.00000   2.26339  1.000000   0.00 0.0000  33.102    0.000
28  -267.02462   1.40000  1.816000  46.62 0.5568  31.872  -33.941  5.07
29    31.15050   0.20000  1.000000   0.00 0.0000  30.117    0.000
30    29.66362   5.93915  1.846660  23.78 0.6205  30.286   44.717  3.54
31   120.11267   6.93796  1.000000   0.00 0.0000  29.335    0.000
32   -53.21720   1.40000  1.882997  40.76 0.5667  27.426  -86.207  5.52
33  -176.68051   3.39956  1.000000   0.00 0.0000  27.493    0.000
34   -50.37470   1.80000  1.754998  52.32 0.5476  27.306  -40.380  4.40
35    79.32177   3.13915  1.846660  23.78 0.6205  28.246  182.350  3.54
36   158.52232   3.03000  1.000000   0.00 0.0000  28.650    0.000
37     0.00000  17.05480  1.620411  60.29 0.5426  29.764  113.609  3.59
38   -70.76337   5.67752  1.000000   0.00 0.0000  34.009    0.000
39  1337.70451   6.61715  1.487490  70.23 0.5300  35.220   94.702  2.46
40   -47.90718   0.20000  1.000000   0.00 0.0000  35.512    0.000
41   319.44763   1.60000  1.882997  40.76 0.5667  34.464  -47.937  5.52
42    37.47929  10.11928  1.487490  70.23 0.5300  33.513   47.068  2.46
43   -54.39529   0.20000  1.000000   0.00 0.0000  33.607    0.000
44   373.09953   8.43170  1.567322  42.80 0.5730  32.682   47.242  2.57
45   -28.80948   1.60000  1.882997  40.76 0.5667  31.991  -32.378  5.52
46 16014.69149   0.20000  1.000000   0.00 0.0000 32.335     0.000
47    63.58274   8.00061  1.487490  70.23 0.5300  32.573   56.468  2.46
48   -46.81734  14.00000  1.000000   0.00 0.0000  32.256    0.000
49     0.00000  33.00000  1.608590  46.44 0.5664  60.000    0.000  3.32
50     0.00000  13.20000  1.516330  64.15 0.5352  60.000    0.000  2.52
51     0.00000   0.00000  1.000000   0.00 0.0000  60.000    0.000
像面        ∞   
非球面データ
第17面
K  =-2.53234e+004  A 4=-3.70721e-007  A 6=-2.42750e-010 
A 8= 2.80767e-013  
第19面
K  = 5.22565e+003  A 4=-1.12605e-008  A 6= 8.18017e-011 
A 8=-4.29759e-015  
第25面
K  =-5.12109e-001  A 4=-7.37630e-007  A 6=-6.26418e-011 
A 8=-9.73848e-015  
各種データ
ズーム比    100.00 
広角     中間     望遠
焦点距離       9.30   351.12   930.00  
Fナンバー      1.85     1.85     4.90  
画角          30.60     0.90     0.34  
像高           5.50     5.50     5.50  
レンズ全長   624.41   624.41   624.41  
BF            12.00    12.00    12.00  
d10            3.09   168.18   177.68  
d17          262.30    44.50     3.95  
d26            3.00    55.71    86.76  
d51           12.00    12.00    12.00  
入射瞳位置   123.74   2940.12   10364.59  
射出瞳位置   448.99   448.99   448.99  
前側主点位置 133.24   3573.36   13273.80  
後側主点位置   2.70  -339.12  -918.00  
ズームレンズ群データ
群  始面    焦点距離  レンズ構成長  前側主点位置  後側主点位置
1    1     237.80       110.07        60.15        -20.18
2   11     -23.70        25.39         4.74        -11.59
3   18      64.00        59.15        16.96        -26.25
4   27      52.83       149.41        60.31         23.45
広角        中間       望遠
β２    -0.1274    -1.1278    -2.0589
β３    -0.2524    -1.0760    -1.5611
β４     1.2167     1.2167     1.2167
【００５３】
［数値実施例２］
面番号   r         d        nd       νd   θgF   有効径   焦点距離  比重
1 -59209.87234  6.00000  1.834000  37.16 0.5775 190.520 -413.194  4.43
2    348.86239  2.00000  1.000000   0.00 0.0000 189.824    0.000
3    348.78552 26.26582  1.433870  95.10 0.5373 190.927  479.337  3.18
4   -506.50514 19.75004  1.000000   0.00 0.0000 191.546    0.000
5    345.41442 19.98864  1.433870  95.10 0.5373 194.392  658.985  3.18
6  -1654.74923  0.25000  1.000000   0.00 0.0000 193.975    0.000
7    250.55070 20.31789  1.433870  95.10 0.5373 188.790  615.806  3.18
8   3783.83048  0.25000  1.000000   0.00 0.0000 187.557    0.000
9    160.05543 16.24182  1.438750  94.99 0.5342 173.405  706.090  3.62
10    320.01220   (可変)  1.000000   0.00 0.0000 171.516   0.000
11   2200.92214  2.00000  2.003300  28.30 0.5980  41.207 -42.351  5.23
12     42.00926  7.68885  1.000000   0.00 0.0000  37.330   0.000
13    -64.66888  2.00000  1.882997  40.76 0.5667  37.406 -30.041  5.52
14     46.08164 10.69387  1.922860  18.90 0.6495  40.778  31.347  3.58
15    -71.35208  1.54288  1.000000   0.00 0.0000  41.678   0.000
16    -55.60701  2.00000  1.882997  40.76 0.5667  41.710  61.478  5.52
17*  3069.16685   (可変)  1.000000   0.00 0.0000  44.113   0.000
18    110.25935 11.88790  1.487490  70.23 0.5300  81.598 219.821  2.46
19* -4181.77385  0.20000  1.000000   0.00 0.0000  82.364   0.000
20     99.22849 14.51011  1.592010  67.02 0.5357  85.427 137.778  3.14
21   -442.09371  0.20000  1.000000   0.00 0.0000  84.963   0.000
22    111.45159  2.50000  1.902000  25.10 0.6117  81.126 -131.512 3.64
23     57.10610 20.81245  1.438750  94.99 0.5342  75.835  114.131 3.62
24   -368.94975  0.20000  1.000000   0.00 0.0000  74.804    0.000
25*    92.42966  9.41442  1.487490  70.23 0.5300  71.485  180.933 2.46
26  -2013.64145   (可変)  1.000000   0.00  0.0000  69.946   0.000
27      0.00000  2.56087  1.000000   0.00  0.0000  31.971   0.000
28   -157.95515  1.40000  1.816000  46.62  0.5568  30.694 -30.850  5.07
29     30.24880  0.20000  1.000000   0.00  0.0000  29.078   0.000
30     29.05671  5.88736  1.846660  23.78  0.6205  29.256  41.528  3.54
31    144.99676  6.72196  1.000000   0.00  0.0000  28.412   0.000
32    -50.20387  1.40000  1.882997  40.76  0.5667  26.602 -64.455  5.52
33   -413.49656  3.11596  1.000000   0.00  0.0000  26.731   0.000
34    -65.21705  1.80000  1.754998  52.32  0.5476  26.777 -43.567  4.40
35     67.77384  3.34023  1.846660  23.78  0.6205  27.671 130.625  3.54
36    168.45074  3.03000  1.000000   0.00  0.0000  28.074   0.000
37      0.00000 17.58420  1.620411  60.29  0.5426  29.186  86.561  3.59
38    -53.91582  5.63638  1.000000   0.00  0.0000  33.313   0.000
39   1038.17812  5.88160  1.487490  70.23  0.5300  33.72  106.153  2.46
40    -54.55673  0.20000  1.000000   0.00  0.0000  33.793   0.000
41   -274.77439  1.60000  1.882997  40.76  0.5667  33.088 -36.502  5.52
42     36.85598 10.61465  1.487490  70.23  0.5300  32.513  42.786  2.46
43    -43.84688  0.20000  1.000000   0.00  0.0000  33.021   0.000
44    264.19125  8.15403  1.567322  42.80  0.5730  32.276  47.826  2.57
45    -30.08421  1.60000  1.882997  40.76  0.5667  31.759 -34.950  5.52
46  -1000.32815  0.20000  1.000000   0.00  0.0000  32.208   0.000
47     57.42703  8.08317  1.487490  70.23  0.5300  32.509  55.335  2.46
48    -48.83156 14.00000  1.000000   0.00  0.0000  32.153   0.000
49      0.00000 33.00000  1.608590  46.44  0.5664  60.000   0.000  3.32
50      0.00000 13.20000  1.516330  64.15  0.5352  60.000   0.000  2.52
51      0.00000  0.00000  1.000000   0.00  0.0000  60.000   0.000
像面        ∞   
非球面データ
第17面
K  =-2.53234e+004  A 4=-4.62067e-007  A 6=-2.00582e-010 
A 8= 2.43884e-013  
第19面
K  = 5.22565e+003  A 4=-4.02846e-008  A 6= 9.92927e-011 
A 8=-6.38338e-015  
第25面
K  = 2.60804e-001  A 4=-9.02514e-007  A 6=-6.49789e-011 
A 8=-1.22294e-014  
各種データ
ズーム比    100.00 
広角     中間     望遠
焦点距離       9.30   351.12   930.00  
Fナンバー      1.85     1.85     4.90  
画角          30.60     0.90     0.34  
像高           5.50     5.50     5.50  
レンズ全長   614.76   614.76   614.76  
BF            12.00    12.00    12.00  
d10            2.59   160.94   170.04  
d17          251.05    41.38     2.05  
d26            3.00    54.32    84.55  
d51           12.00    12.00    12.00  
入射瞳位置   122.85   2912.07   10469.87  
射出瞳位置   324.42   324.42   324.42  
前側主点位置 132.43   3657.81   14168.28  
後側主点位置   2.70  -339.12  -918.00  
ズームレンズ群データ
群  始面    焦点距離  レンズ構成長  前側主点位置  後側主点位置
1    1     229.37       111.06        59.82        -20.58
2   11     -22.90        25.93         4.83        -11.75
3   18      62.00        59.72        17.20        -26.57
4   27      48.37       149.41        57.65         23.74
広角       中間       望遠
β２    -0.1283    -1.1384    -2.0786
β３    -0.2542    -1.0820    -1.5696
β４     1.2428     1.2428     1.2428
【００５４】
［数値実施例３］
面番号   r         d        nd       νd   θgF   有効径   焦点距離  比重
1  8580.34670   6.00000  1.834000  37.16 0.5775 217.612 -477.763  4.43
2   382.97159   2.00000  1.000000   0.00 0.0000 210.440    0.000
3   382.97159  28.66209  1.433870  95.10 0.5373 210.296  521.870  3.18
4  -544.68674  25.54250  1.000000   0.00 0.0000 209.456    0.000
5   364.55951  17.46964  1.433870  95.10 0.5373 197.157  797.717  3.18
6 -7088.91418   0.25000  1.000000   0.00 0.0000 195.795    0.000
7   271.44130  18.85337  1.433870  95.10 0.5373 191.749  693.827  3.18
8  2642.65310   0.25000  1.000000   0.00 0.0000 190.588    0.000
9   193.28776  14.65064  1.433870  95.10 0.5373 179.870  848.616  3.62
10   396.44818   (可変)   1.000000   0.00 0.0000 178.134    0.000
11   484.50183   2.00000  2.003300  28.30 0.5980  46.261  -43.419  5.23
12    40.19154  10.29951  1.000000   0.00 0.0000  40.308    0.000
13   -47.28761   2.00000  1.654115  39.70 0.5737  40.050  -44.343  3.02
14    77.47528   8.85799  1.945950  17.98 0.6545  41.781   38.112  3.58
15   -65.22154   1.27003  1.000000   0.00 0.0000  42.506    0.000
16   -55.49055   2.00000  1.882997  40.76 0.5667  42.465  -61.668  5.52
17* 4289.37254    (可変)  1.000000   0.00 0.0000  44.607    0.000
18   107.30400  12.85683  1.487490  70.23 0.5300  86.223  213.491  2.46
19*-3743.62924   0.20000  1.000000   0.00 0.0000  86.632    0.000
20    96.90173  15.41719  1.592010  67.02 0.5357  88.625  140.483  3.14
21  -566.18035   0.20000  1.000000   0.00 0.0000  87.838    0.000
22   122.88192   2.50000  1.902000  25.10 0.6117  83.006 -137.995  3.64
23    61.52059  20.35818  1.438750  94.99 0.5342  77.447  121.724  3.62
24  -371.03769   0.20000  1.000000   0.00 0.0000  75.887    0.000
25*  209.60689   5.45536  1.487490  70.23 0.5300  73.614  402.027  2.46
26 -3154.16041   (可変)   1.000000   0.00 0.0000  72.252    0.000
27     0.00000   1.95542  1.000000    0.00 0.0000  34.366   0.000
28  -718.56251   1.40000  1.816000   46.62 0.5568  33.308 -36.686  5.07
29    31.43087   0.20000  1.000000    0.00 0.0000  31.569   0.000
30    29.24862   6.25947  1.846660   23.78 0.6205  31.855  46.377  3.54
31   100.46675   7.16625  1.000000    0.00 0.0000  30.838   0.000
32   -61.07095   1.40000  1.882997   40.76 0.5667  29.041 -724.860  5.52
33   -68.19904   2.95395  1.000000    0.00 0.0000  29.065   0.000
34   -42.98928   1.80000  1.754998   52.32 0.5476  28.274 -70.790   4.40
35  -219.59227   2.10751  1.846660   23.78 0.6205  28.641 -315.949  3.54
36 -1178.57759   3.03000  1.000000    0.00 0.0000  28.890    0.000
37     0.00000  14.35913  1.620411   60.29 0.5426  29.405 -193.162  3.59
38   120.31398   6.51006  1.000000    0.00 0.0000  30.966    0.000
39   145.74489   7.98727  1.487490   70.23 0.5300  33.120   66.065  2.46
40   -40.77477   0.20000  1.000000    0.00 0.0000  33.615    0.000
41  -160.64933   1.60000  1.882997   40.76 0.5667  32.926  -50.544  5.52
42    62.58994   9.63935  1.487490   70.23 0.5300  32.814   53.614  2.46
43   -42.85503   0.20000  1.000000    0.00 0.0000  33.288    0.000
44   547.03292   8.55933  1.567322   42.80 0.5730  32.353   46.493  2.57
45   -27.71566   1.60000  1.882997   40.76 0.5667  31.764  -38.186  5.52
46  -155.75180   0.20000  1.000000    0.00 0.0000  32.290    0.000
47    52.60857   7.24608  1.487490   70.23 0.5300  32.245   64.799  2.46
48   -76.12896  14.00000  1.000000    0.00 0.0000  31.580    0.000
49     0.00000  33.00000  1.608590   46.44 0.5664  60.000    0.000  3.32
50     0.00000  13.20000  1.516330   64.15 0.5352  60.000    0.000  2.52
51     0.00000   0.00000  1.000000    0.00 0.0000  60.000    0.000
像面        ∞   
非球面データ
第17面
K  =-2.53234e+004  A 4=-4.02985e-007  A 6=-4.14640e-011 
A 8= 1.18046e-013  
第19面
K  = 5.22565e+003  A 4= 1.22787e-007  A 6= 6.42331e-012 
A 8= 4.26134e-015  
第25面
K  =-3.42181e+000  A 4=-6.47439e-007  A 6=-1.21058e-010 
A 8= 4.63506e-015  
各種データ
ズーム比    120.00 
広角     中間     望遠
焦点距離       9.00   356.79   1080.00  
Fナンバー      1.85     1.85     5.60  
画角          31.43     0.88     0.29  
像高           5.50     5.50     5.50  
レンズ全長   663.94   663.94   663.94  
BF            12.00    12.00    12.00  
d10            3.36   190.13   201.50  
d17          301.71    54.46     1.63  
d26            3.00    63.47   104.94  
d51           12.00    12.00    12.00  
入射瞳位置   130.16   3283.45   14387.39  
射出瞳位置   530.76   530.76   530.76  
前側主点位置 139.31   3885.62   17715.83  
後側主点位置   3.00  -344.79  -1068.00  
ズームレンズ群データ
群  始面    焦点距離  レンズ構成長  前側主点位置  後側主点位置
1    1     263.71       113.68        64.95        -19.34
2   11     -26.50        26.43         4.80        -13.26
3   18      72.00        57.19        13.11        -27.56
4   27      56.43       146.57        63.38         16.09
広角       中間       望遠
β２    -0.1264    -1.1555    -2.2896
β３    -0.2518    -1.0917    -1.6677
β４     1.0726     1.0726     1.0726
【００５５】
［数値実施例４］
面番号   r         d        nd       νd   θgF   有効径   焦点距離  比重
1 -11085.52629  6.00000  1.834000  37.16 0.5775 205.125 -422.466  4.43
2    366.39224  2.00000  1.000000   0.00 0.0000 197.981    0.000
3    366.33521 27.00702  1.433870  95.10 0.5373 197.616  495.492  3.18
4   -511.80109 21.17174  1.000000   0.00 0.0000 196.448    0.000
5    372.20232 19.83982  1.433870  95.10 0.5373 197.905  685.940  3.18
6  -1479.50066  0.25000  1.000000   0.00 0.0000 197.533    0.000
7    245.68034 20.46217  1.433870  95.10 0.5373 192.222  630.509  3.18
8   2299.11088  0.25000  1.000000   0.00 0.0000 191.042    0.000
9    168.82452 16.31057  1.433870  95.10 0.5373 177.785  727.609  3.62
10    351.25507  (可変)   1.000000   0.00 0.0000 176.105    0.000
11    601.98699  1.81818  2.003300  28.30 0.5980  43.832  -38.291  5.23
12     36.34175  8.31150  1.000000   0.00 0.0000  37.983    0.000
13    -66.04016  1.81818  1.654115  39.70 0.5737  37.887  -37.497  3.02
14     39.82221  9.95263  1.945950  17.98 0.6545  41.447   32.763  3.58
15   -130.21287  3.20252  1.000000   0.00 0.0000  41.779    0.000
16    -52.95646  1.81818  1.882997  40.76 0.5667  41.752  -58.376  5.52
17*  2514.09614   (可変)  1.000000   0.00 0.0000  44.048    0.000
18    110.19527 12.38646  1.487490  70.23 0.5300  86.358  218.931  2.46
19* -3659.27977  0.18378  1.000000   0.00 0.0000  86.972    0.000
20    101.36322 15.58187  1.592010  67.02 0.5357  90.039  138.934  3.14
21   -419.10578  0.18378  1.000000   0.00 0.0000  89.538    0.000
22     72.55330  2.29730  1.902000  25.10 0.6117  82.665 -134.082  3.64
23     44.82067 25.61434  1.438750  94.99 0.5342  74.610   95.797  3.62
24   -580.79754  0.18378  1.000000   0.00 0.0000  73.026    0.000
25*   181.22978  6.03769  1.487490  70.23 0.5300  70.888  345.294  2.46
26  -2455.34903  (可変)   1.000000   0.00 0.0000  69.375    0.000
27      0.00000  2.23386  1.000000   0.00 0.0000  30.698    0.000
28   -243.48684  1.40000  1.816000  46.62 0.5568  29.458  -29.216  5.07
29     26.64673  0.20000  1.000000   0.00 0.0000  27.701    0.000
30     25.99101  5.62244  1.846660  23.78 0.6205  27.873   40.300  3.54
31     95.22679  7.03139  1.000000   0.00 0.0000  26.997    0.000
32    -44.06688  1.40000  1.882997  40.76 0.5667  25.323  -49.100  5.52
33   4251.06997  3.17771  1.000000   0.00 0.0000  25.589    0.000
34    -71.61515  1.80000  1.754998  52.32 0.5476  25.904  -70.470  4.40
35    212.95699  3.37045  1.846660  23.78 0.6205  26.750  120.407  3.54
36   -197.85090  3.03000  1.000000   0.00 0.0000  27.317    0.000
37      0.00000 15.53311  1.620411  60.29 0.5426  28.392  351.927  3.59
38   -219.20299  5.66968  1.000000   0.00 0.0000  31.204    0.000
39    174.52518  6.71463  1.487490  70.23 0.5300  32.714   78.283  2.46
40    -48.43461  0.20000  1.000000   0.00 0.0000  32.964    0.000
41   -387.96155  1.60000  1.882997  40.76 0.5667  32.308  -36.672  5.52
42     35.62364 10.67940  1.487490  70.23 0.5300  31.820   40.866  2.46
43    -41.06364  0.20000  1.000000   0.00 0.0000  32.400    0.000  
44   1254.75269  8.17618  1.567322  42.80 0.5730  31.744   46.655  2.57
45    -27.12766  1.60000  1.882997  40.76 0.5667  31.361  -35.540  5.52
46   -198.34409  0.20000  1.000000   0.00 0.0000  32.161    0.000
47     57.86726  8.08513  1.487490  70.23 0.5300  32.511   55.536  2.46
48    -48.85200 14.00000  1.000000   0.00 0.0000  32.152    0.000
49      0.00000 33.00000  1.608590  46.44 0.5664  60.000    0.000  3.32
50      0.00000 13.20000  1.516330  64.15 0.5352  60.000    0.000  2.52
51      0.00000  0.00000  1.000000   0.00 0.0000  60.000    0.000
像面        ∞   
非球面データ
第17面
K  =-2.53234e+004  A 4= 4.56143e-008  A 6=-4.01855e-010 
A 8= 5.83466e-013  
第19面
K  = 5.22565e+003  A 4= 7.56908e-008  A 6= 4.43142e-011 
A 8= 5.81615e-015  
第25面
K  = 7.06928e-001  A 4=-7.97058e-007  A 6=-3.06932e-011 
A 8= 5.53078e-014  
各種データ
ズーム比    120.00 
広角     中間     望遠
焦点距離       9.00   356.79   1080.00  
Fナンバー      1.85     1.85     5.60  
画角          31.43     0.88     0.29  
像高           5.50     5.50     5.50  
レンズ全長   635.21   635.21   635.21  
BF            12.00    12.00    12.00  
d10            2.45   168.66   178.72  
d17          266.96    47.72     1.55  
d26            3.00    56.04    92.14  
d51           12.00    12.00    12.00  
入射瞳位置   125.04   3191.17   14549.27  
射出瞳位置   244.67   244.67   244.67  
前側主点位置 134.39   4095.05   20642.20  
後側主点位置   3.00  -344.79  -1068.00  
ズームレンズ群データ
群  始面    焦点距離  レンズ構成長  前側主点位置  後側主点位置
1    1     237.46       113.29        62.30        -19.91
2   11     -23.00        26.92         5.64        -11.59
3   18      64.00        62.47        14.86        -30.18
4   27      44.10       148.12        54.98         21.94
広角       中間       望遠
β２    -0.1234    -1.1359    -2.2583
β３    -0.2507    -1.0794    -1.6435
β４     1.2254     1.2254     1.2254
【００５６】
［数値実施例５］
面番号   r         d        nd       νd   θgF   有効径   焦点距離  比重
1  3465.41346   6.00000  1.834000  37.16 0.5775 191.463 -440.266  4.43
2   333.65474   2.00000  1.000000   0.00 0.0000 189.336    0.000
3   333.64931  25.72124  1.433870  95.10 0.5373 190.370  487.566  3.18
4  -568.39576  21.03504  1.000000   0.00 0.0000 190.882    0.000
5   313.19087  22.05808  1.433870  95.10 0.5373 192.939  580.108  3.18
6 -1270.60981   0.25000  1.000000   0.00 0.0000 192.422    0.000
7   317.23263  14.91691  1.433870  95.10 0.5373 186.975  864.116  3.18
8  2004.90927   0.25000  1.000000   0.00 0.0000 185.793    0.000
9   156.02327  16.48994  1.438750  94.99 0.5342 172.838  692.004  3.62
10   309.77411   (可変)   1.000000   0.00 0.0000 171.011    0.000
11  2429.77564   2.00000  2.003300  28.30 0.5980  40.731  -41.759  5.23
12    41.50811   8.06575  1.000000   0.00 0.0000  36.740    0.000
13   -53.36920   2.00000  1.882997  40.76 0.5667  36.824  -30.453  5.52
14    55.80477  10.16634  1.922860  18.90 0.6495  40.741   33.443  3.58
15   -64.74959   0.61902  1.000000   0.00 0.0000  41.866    0.000
16   -64.41432   2.00000  1.882997  40.76 0.5667  41.946  -71.912  5.52
17* 7648.51096    (可変)  1.000000   0.00 0.0000  44.072    0.000
18   105.62312  14.06584  1.487490  70.23 0.5300  83.347  210.913  2.46
19*-4243.61225   0.20000  1.000000   0.00 0.0000  83.995    0.000
20   125.34292  12.98092  1.592010  67.02 0.5357  85.210  158.026  3.14
21  -359.66842   0.20000  1.000000   0.00 0.0000  84.659    0.000
22   117.63224  18.28870  1.438750  94.99 0.5342  80.313  142.362  3.62
23  -127.53362   2.50000  1.902000  25.10 0.6117  77.571 -130.083  3.64
24  1675.96176   0.20000  1.000000   0.00 0.0000  75.623    0.000
25*  117.20223  10.91838  1.487490  70.23 0.5300  74.512  141.758  2.46
26  -164.60190   (可変)   1.000000   0.00 0.0000  73.523    0.000
27     0.00000   2.47935  1.000000   0.00 0.0000  32.701    0.000
28  -183.60166   1.40000  1.816000  46.62 0.5568  31.460  -39.490  5.07
29    39.46039   0.20000  1.000000   0.00 0.0000  30.051    0.000
30    30.56562   4.70083  1.846660  23.78 0.6205  30.249   70.691  3.54
31    57.45166   7.97979  1.000000   0.00 0.0000  29.155    0.000
32   -51.30465   1.40000  1.882997  40.76 0.5667  27.726 -285.248  5.52
33   -65.15852   2.75518  1.000000   0.00 0.0000  27.887    0.000
34   -43.48347   1.80000  1.754998  52.32 0.5476  27.431  -35.911  4.40
35    74.19712   3.39801  1.846660  23.78 0.6205  28.300  129.821  3.54
36   219.05273   3.03000  1.000000   0.00 0.0000  28.631    0.000
37     0.00000  15.61666  1.620411  60.29 0.5426  29.564  342.468  3.59
38  -213.31148   5.65252  1.000000   0.00 0.0000  32.892    0.000
39    72.92018   8.29876  1.487490  70.23 0.5300  35.122   62.648  2.46
40   -50.88084   0.20000  1.000000   0.00 0.0000  35.153    0.000
41  -347.91187   1.60000  1.882997  40.76 0.5667  34.096  -39.534  5.52
42    39.13784   9.49801  1.487490  70.23 0.5300  33.279   50.843  2.46
43   -62.78134   0.20000  1.000000   0.00 0.0000  33.521    0.000
44   120.88971   9.23913  1.567322  42.80 0.5730  32.907   41.636  2.57
45   -28.73870   1.60000  1.882997  40.76 0.5667  32.248  -37.920  5.52
46  -201.06047   0.20000  1.000000   0.00 0.0000  32.609    0.000
47    87.03337   6.96646  1.487490  70.23 0.5300  32.540   68.847  2.46
48   -53.48649  14.00000  1.000000   0.00 0.0000  32.113    0.000   
49     0.00000  33.00000  1.608590  46.44 0.5664  60.000    0.000  3.32
50     0.00000  13.20000  1.51633   64.15 0.5352  60.000    0.000  2.52
51     0.00000   0.00000  1.000000   0.00 0.0000  60.000    0.000
像面        ∞   
非球面データ
第17面
K  =-2.53234e+004  A 4=-4.72868e-007  A 6=-1.22499e-010 
A 8= 1.62487e-013  
第19面
K  = 5.22565e+003  A 4=-4.30663e-007  A 6= 8.49630e-011 
A 8=-7.32828e-015  
第25面
K  =-6.95782e+000  A 4=-1.05875e-006  A 6=-5.07729e-011 
A 8= 3.13718e-014  
各種データ
ズーム比    100.00 
広角     中間     望遠
焦点距離       9.30   351.12   930.00  
Fナンバー      1.85     1.85     4.90  
画角          30.60     0.90     0.34  
像高           5.50     5.50     5.50  
レンズ全長   621.45   621.45   621.45  
BF            12.00    12.00    12.00  
d10            2.80   167.89   177.39  
d17          262.31    44.51     3.96  
d26            3.00    55.71    86.76  
d51           12.00    12.00    12.00  
入射瞳位置   122.13   2957.50   10496.34  
射出瞳位置   413.05   413.05   413.05  
前側主点位置 131.65   3616.04   13582.93  
後側主点位置   2.70  -339.12  -918.00  
ズームレンズ群データ
群  始面    焦点距離  レンズ構成長  前側主点位置  後側主点位置
1    1     237.80       108.72        58.53        -21.20
2   11     -23.70        24.85         4.00        -12.37
3   18      64.00        59.35        16.17        -26.83
4   27      51.63       148.41        59.52         23.19
広角       中間       望遠
β２    -0.1274    -1.1278    -2.0589
β３    -0.2524    -1.0760    -1.5611
β４     1.2167     1.2167     1.2167
【００５７】
［数値実施例６］
面番号   r         d        nd       νd   θgF   有効径   焦点距離  比重
1  9111.42380   6.00000  1.834000  37.16 0.5775 193.818 -431.345  4.43
2   348.09779   2.00000  1.000000   0.00 0.0000 189.618    0.000
3   348.01257  25.95137  1.433870  95.10 0.5373 190.668  484.076  3.18
4  -521.02193  21.05000  1.000000   0.00 0.0000 191.230    0.000
5   325.33530  20.13574  1.433870  95.10 0.5373 193.504  649.256  3.18
6 -2099.71067   0.25000  1.000000   0.00 0.0000 193.018    0.000
7   288.02074  18.35726  1.433870  95.10 0.5373 188.260  685.195  3.18
8  8408.28694   0.25000  1.000000   0.00 0.0000 187.072    0.000
9   158.00071  15.58909  1.438750  94.99 0.5342 172.884  744.664  3.62
10   296.04534   (可変)   1.000000   0.00 0.0000 170.991    0.000
11  2068.27102   2.00000  2.003300  28.30 0.5980  41.702  -44.567  5.23
12    44.10531   7.64468  1.000000   0.00 0.0000  37.292    0.000
13   -60.92782   2.00000  1.882997  40.76 0.5667  37.355  -29.906  5.52
14    47.81627  10.28087  1.922860  18.90 0.6495  40.739   32.755  3.58
15   -76.17832   1.31939  1.000000   0.00 0.0000  41.648    0.000
16   -61.72740   2.00000  1.882997  40.76 0.5667  41.706  -68.050  5.52
17* 2938.85616   (可変)   1.000000   0.00 0.0000  43.858    0.000
18   111.34327  11.91354  1.487490  70.23 0.5300  82.119  221.864  2.46
19*-4135.98790   0.20000  1.000000   0.00 0.0000  82.839    0.000
20    99.67066  14.71693  1.592010  67.02 0.5357  85.734  135.729  3.14
21  -399.08964   0.20000  1.000000   0.00 0.0000  85.251    0.000
22   151.70802   2.50000  1.755199  27.51 0.6103  81.85  -118.248  3.15
23    56.11190  20.94759  1.438750  94.99 0.5342  76.192  114.919  3.62
24  -451.57607   0.20000  1.000000   0.00 0.0000  75.251    0.000
25*   93.90748   9.56015  1.516330  64.14 0.5352  72.338  173.775  2.52
26 -2121.24646    (可変)  1.000000   0.00 0.0000  70.876    0.000
27     0.00000   2.45337  1.000000   0.00 0.0000  32.832    0.000
28  -191.89609   1.40000  1.816000  46.62 0.5568  31.592  -32.451  5.07
29    31.00310   0.20000  1.000000   0.00 0.0000  29.925    0.000
30    29.43529   5.94177  1.846660  23.78 0.6205  30.126   43.271  3.54
31   130.59418   6.90636  1.000000   0.00 0.0000  29.247    0.000
32   -51.76144   1.40000  1.882997  40.76 0.5667  27.414  -76.682  5.52
33  -218.43908   3.16316  1.000000   0.00 0.0000  27.529    0.000
34   -56.30013   1.80000  1.754998  52.32 0.5476  27.463  -43.973  4.40
35    82.94718   3.13436  1.846660  23.78 0.6205  28.387  169.313  3.54
36   190.85497   3.03000  1.000000   0.00 0.0000  28.796    0.000
37     0.00000  17.03343  1.620411  60.29 0.5426  29.919  110.855  3.59
38   -69.04745   5.58936  1.000000   0.00 0.0000  34.001    0.000
39   692.82747   6.40706  1.487490  70.23 0.5300  35.039   96.466  2.46
40   -50.48092   0.20000  1.000000   0.00 0.0000  35.252    0.000
41   928.83015   1.60000  1.882997  40.76 0.5667  34.308  -44.047  5.52
42    37.50891  10.37853  1.487490  70.23 0.5300  33.457   45.068  2.46
43   -48.61244   0.20000  1.000000   0.00 0.0000  33.676    0.000
44   244.83783   8.50113  1.567322  42.80 0.5730  32.642   45.679  2.57
45   -28.79411   1.60000  1.882997  40.76 0.5667  31.945  -31.341  5.52
46   857.69336   0.20000  1.000000   0.00 0.0000  32.248    0.000
47    58.11531   8.07253  1.487490  70.23 0.5300  32.534   54.897  2.46
48   -47.63938  14.00000  1.000000   0.00 0.0000  32.208    0.000
49     0.00000  33.00000  1.608590  46.44 0.5664  60.000    0.000  3.32
50     0.00000  13.20000  1.516330  64.15 0.5352  60.000    0.000  2.52
51     0.00000   0.00000  1.000000   0.00 0.0000  60.000    0.000
像面     ∞   
非球面データ
第17面
K  =-2.53234e+004  A 4=-3.15006e-007  A 6=-2.29632e-010 
A 8= 2.78968e-013  
第19面
K  = 5.22565e+003  A 4=-4.41285e-008  A 6= 8.96784e-011 
A 8=-4.66673e-015  
第25面
K  =-4.22445e-001  A 4=-6.93881e-007  A 6=-4.61837e-011 
A 8=-6.27941e-015  
各種データ
ズーム比    100.00 
広角     中間     望遠
焦点距離       9.30   351.12   930.00  
Fナンバー      0.00     0.00     0.00  
画角           0.00     0.00     0.00  
像高           5.50     5.50     5.50  
レンズ全長   623.83   623.83   623.83  
BF            12.00    12.00    12.00  
d10            2.63   167.72   177.23  
d17          261.72    43.92     3.37  
d26            3.00    55.71    86.76  
d51           12.00    12.00    12.00  
入射瞳位置   123.02   2952.13   10453.26  
射出瞳位置   447.48   447.48   447.48  
前側主点位置 132.52   3586.35   13369.35  
後側主点位置   2.70  -339.12  -918.00  
ズームレンズ群データ
群  始面    焦点距離  レンズ構成長  前側主点位置  後側主点位置
1    1     237.80       109.58        59.42        -20.64
2   11     -23.70        25.24         4.72        -11.58
3   18      64.00        60.24        17.56        -26.64
4   27      52.45       149.41        59.85         23.37
広角       中間       望遠
β２    -0.1274    -1.1278    -2.0589
β３    -0.2524    -1.0760    -1.5611
β４     1.2167     1.2167     1.2167
【００５８】
［数値実施例７］
面番号   r         d        nd       νd   θgF   有効径   焦点距離  比重
1 11287.73845   6.00000  1.834000  37.16 0.5775 193.550 -428.230  4.43
2   348.24758   2.00000  1.000000   0.00 0.0000 189.652    0.000
3   348.23496  25.99798  1.433870  95.10 0.5373 190.709  483.233  3.18
4  -518.21157  21.06680  1.000000   0.00 0.0000 191.279    0.000
5   333.38357  19.40431  1.433870  95.10 0.5373 193.651  678.986  3.18
6 -2541.82955   0.25000  1.000000   0.00 0.0000 193.185    0.000
7   269.37484  19.55626  1.433870  95.10 0.5373 188.528  639.784  3.18
8  8232.05331   0.25000  1.000000   0.00 0.0000 187.329    0.000
9   161.92458  15.33799  1.438750  94.99 0.5342 173.328  758.591  3.62
10   305.48788    (可変)  1.000000  0.00 0.0000 171.444    0.000
11  2127.97889   2.00000  2.003300  28.30 0.5980  41.805  -43.758  5.23
12    43.34753   7.61590  1.000000   0.00 0.0000  37.299    0.000
13   -63.73063   2.00000  1.882997  40.76 0.5667  37.377  -30.585  5.52
14    48.04261  10.43716  1.922860  18.90 0.6495  40.675   32.113  3.58
15   -71.51616   1.37692  1.000000   0.00 0.0000  41.580    0.000
16   -57.86016   2.00000  1.882997  40.76 0.5667  41.614  -63.746  5.52
17* 2675.36457    (可変)  1.000000   0.00 0.0000  43.871    0.000
18   115.68147  11.91456  1.592010  67.02 0.5357  83.327  189.743  3.14
19*-4249.04428   0.20000  1.000000   0.00 0.0000  83.817    0.000
20   102.45850  14.24317  1.592010  67.02 0.5357  85.894  142.298  3.14
21  -458.42946   0.20000  1.000000   0.00 0.0000  85.304    0.000
22   169.80378   2.50000  1.761821  26.52 0.6135  82.001 -120.969  3.17
23    59.69502  20.19620  1.438750  94.99 0.5342  76.595  119.963  3.62
24  -407.62840   0.20000  1.000000   0.00 0.0000  75.543    0.000
25*   94.49510   9.35344  1.487490  70.23 0.5300  72.345  185.016  2.46
26 -2071.02128    (可変)  1.000000   0.00 0.0000  70.838    0.000
27     0.00000   2.46203  1.000000   0.00 0.0000  32.740    0.000
28  -188.51040   1.40000  1.816000  46.62 0.5568  31.499  -32.512  5.07
29    31.16209   0.20000  1.000000   0.00 0.0000  29.849    0.000
30    29.69750   5.89566  1.846660  23.78 0.6205  30.036   43.892  3.54
31   129.28438   6.91960  1.000000   0.00 0.0000  29.161    0.000
32   -51.29675   1.40000  1.882997  40.76 0.5667  27.374  -76.016  5.52
33  -216.29874   3.13781  1.000000   0.00 0.0000  27.509    0.000
34   -58.91682   1.80000  1.754998  52.32 0.5476  27.465  -44.502  4.40
35    80.06292   3.22776  1.846660  23.78 0.6205  28.368  157.066  3.54
36   194.56995   3.03000  1.000000   0.00 0.0000  28.775    0.000
37     0.00000  17.09586  1.620411  60.29 0.5426  29.877  109.258  3.59
38   -68.05303   5.63349  1.000000   0.00 0.0000  33.884    0.000
39  1002.92254   6.25988  1.487490  70.23 0.5300  34.815  100.334  2.46
40   -51.49740   0.20000  1.000000   0.00 0.0000  35.020    0.000
41  3443.40036   1.60000  1.882997  40.76 0.5667  34.156  -43.964  5.52
42    38.59979  10.23781  1.487490  70.23 0.5300  33.394   46.066  2.46
43   -49.41848   0.20000  1.000000   0.00 0.0000  33.656    0.000
44   198.28332   8.63335  1.567322  42.80 0.5730  32.701   45.062  2.57
45   -29.06828   1.60000  1.882997  40.76 0.5667  32.010  -31.868  5.52
46  1103.39953   0.20000  1.000000   0.00 0.0000  32.318    0.000
47    62.22814   8.07730  1.487490  70.23 0.5300  32.577   55.567  2.46
48   -46.20228  14.00000  1.000000   0.00 0.0000  32.274    0.000
49     0.00000  33.00000  1.608590  46.44 0.5664  60.000    0.000  3.32
50     0.00000  13.20000  1.516330  64.15 0.5352  60.000    0.000  2.52
51     0.00000   0.00000  1.000000   0.00 0.0000  60.000    0.000
像面     ∞   
非球面データ
第17面
K  =-2.53234e+004  A 4=-3.52378e-007  A 6=-2.68145e-010 
A 8= 2.98079e-013  
第19面
K  = 5.22565e+003  A 4=-4.50120e-008  A 6= 7.52470e-011 
A 8=-5.67030e-015  
第25面
K  =-4.90696e-002  A 4=-8.51926e-007  A 6=-6.07487e-011 
A 8=-6.47986e-015  
各種データ
ズーム比    100.00 
広角     中間     望遠
焦点距離       9.30   351.12   930.00  
Fナンバー      1.85     1.85     4.90  
画角          30.60     0.90     0.34  
像高           5.50     5.50     5.50  
レンズ全長   624.67   624.67   624.67  
BF            12.00    12.00    12.00  
d10            2.77   167.86   177.37  
d17          263.38    45.58     5.03  
d26            3.00    55.71    86.76  
d51           12.00    12.00    12.00  
入射瞳位置   123.30   2956.88   10484.94  
射出瞳位置   435.06   435.06   435.06  
前側主点位置 132.81   3599.42   13459.31  
後側主点位置   2.70  -339.12  -918.00  
ズームレンズ群データ
群  始面    焦点距離  レンズ構成長  前側主点位置  後側主点位置
1    1     237.80       109.86        59.70        -20.52
2   11     -23.70        25.43         4.71        -11.65
3   18      64.00        58.81        15.82        -26.78
4   27      52.11       149.41        59.66         23.29
広角       中間       望遠
β２    -0.1274    -1.1278    -2.0589
β３    -0.2524    -1.0760    -1.5611
β４     1.2167     1.2167     1.2167
【００５９】
【表１】
0005436091.tif 000003
【符号の説明】
【００６０】
Ｕ１は第１レンズ群、Ｕ２は第２レンズ群、Ｕ３は第３レンズ群、Ｕ４は第４レンズ群、ＳＰは絞り、Ｐは色分解プリズムや光学フィルターを示すガラスブロック、ＩＰは撮像面、１０１はズームレンズ、Ｆは第１レンズ群、ＬＺは変倍部、Ｒは第４レンズ群、１０９はガラスブロック、１１０は撮像素子、１２４はカメラ、１２５は撮像装置
【図１】
0005436091.tif 000004
【図２】
0005436091.tif 000005
【図３】
0005436091.tif 000006
【図４】
0005436091.tif 000007
【図５】
0005436091.tif 000008
【図６】
0005436091.tif 000009
【図７】
0005436091.tif 000010
【図８】
0005436091.tif 000011
【図９】
0005436091.tif 000012
【図１０】
0005436091.tif 000013
【図１１】
0005436091.tif 000014
【図１２】
0005436091.tif 000015
【図１３】
0005436091.tif 000016
【図１４】
0005436091.tif 000017
【図１５】
0005436091.tif 000018
【図１６】
0005436091.tif 000019
【図１７】
0005436091.tif 000020
【図１８】
0005436091.tif 000021